(57)【要約】  本開示のいくつかの態様は、高効率ＷＬＡＮ（ＨＥＷ）システムにおけるアップリンク（ＵＬ）マルチユーザ多入力多出力（ＭＵ−ＭＩＭＯ）送信のための方法と装置とを提供する。１つの例示的な方法は、概して、プリアンブル部分を有するパケットを生成することと、パケットを送信することとを含む。プリアンブル部分は通常、ロングトレーニングフィールド（ＬＴＦ）と、ＬＴＦに後続する第１の信号（ＳＩＧ）フィールドと、第１のＳＩＧフィールドの後に位置する１つまたは複数の他のＬＴＦと、少なくとも１つの第２のＳＩＧフィールドとを含み、ここで、第１のＳＩＧフィールド以外の、プリアンブル部分中のすべてのＳＩＧフィールドは、１つまたは複数の他のＬＴＦに後続する。別の例示的な方法は概して、装置から、トーンインターリーブＬＴＦを備えるプリアンブル部分を有するパケットを受信することと、トーンインターリーブＬＴＦに基づいて、パケットに対して周波数オフセット調節を実施することとを含む。
2016530776.tif 000002
【特許請求の範囲】
【請求項１】
残留周波数オフセット誤差を扱うための方法であって、
装置において、トーンインターリーブされたロングトレーニングフィールド（ＬＴＦ）を備えるプリアンブル部分を有するパケットを受信することと、ここで、各トーンインターリーブされたＬＴＦにおいて、第１の空間ストリームはトーンの第１のサブセットに関連付けられ、第２の空間ストリームは、前記トーンの前記第１のサブセットとインターリーブされた前記トーンの第２のサブセットに関連付けられる、
前記トーンインターリーブされたＬＴＦに基づいて、前記パケットに対して周波数オフセット調節を実施することと、
を備える方法。
【請求項２】
前記ＬＴＦの数は、前記装置によって受信された空間ストリームの数よりも１大きい、請求項１に記載の方法。
【請求項３】
前記トーンインターリーブされたＬＴＦのうちの最後のものは、前記トーンインターリーブされたＬＴＦのうちの最初のもののコピーである、請求項２に記載の方法。
【請求項４】
前記周波数オフセット調節を実施することは、周波数オフセットを決定するのに、前記トーンインターリーブされたＬＴＦの前記最初のものと前記最後のものとの間のいくつかのトーンサブセットについての位相差を使用することを備え、ここで、前記トーンサブセットの数は空間ストリームの前記数に等しい、請求項３に記載の方法。
【請求項５】
前記トーンインターリーブされたＬＴＦの各々は、アップリンク（ＵＬ）マルチユーザ（ＭＵ）多入力多出力（ＭＩＭＯ）送信における各ユーザの各空間ストリーム用に指定されたインターリーブトーンを備える、請求項１に記載の方法。
【請求項６】
各ユーザの各空間ストリーム用に指定された前記インターリーブトーンのパターンは、２つの連続するトーンインターリーブされたＬＴＦの間でシフトされる、請求項５に記載の方法。
【請求項７】
前記インターリーブトーンの前記パターンは１トーン分だけシフトされる、請求項６に記載の方法。
【請求項８】
前記インターリーブトーンの前記パターンは、２トーン分だけ、または４トーン分だけシフトされる、請求項６に記載の方法。
【請求項９】
各空間ストリームは、前記トーンインターリーブされたＬＴＦのためのすべてのトーンの２分の１または４分の１をカバーする、請求項８に記載の方法。
【請求項１０】
前記周波数オフセット調節を実施する前に欠落トーンを補間することをさらに備える、請求項９に記載の方法。
【請求項１１】
前記トーンインターリーブされたＬＴＦのうちの最後のものは、あるパターンによる、前記トーンインターリーブされたＬＴＦの１つまたは複数の先行ＬＴＦの異なる部分のコピーである、請求項２に記載の方法。
【請求項１２】
前記周波数オフセット調節を実施することは、前記パターンによる、前記１つまたは複数の先行ＬＴＦの前記異なる部分と、前記トーンインターリーブされたＬＴＦのうちの前記最後のものとの間のいくつかのトーンサブセットについての位相差を補正することを備える、請求項１１に記載の方法。
【請求項１３】
前記位相差を補正することは、前記空間ストリームの各々のための前記先行ＬＴＦの各々についての位相オフセットを決定することを備える、請求項１２に記載の方法。
【請求項１４】
前記トーンインターリーブされたＬＴＦのうちの前記最後のものに埋め込まれた信号（ＳＩＧ）フィールド中の情報を抽出することと、
前記ＳＩＧフィールド中の前記情報に基づいて前記パケットを処理することとをさらに備える、請求項１１に記載の方法。
【請求項１５】
前記抽出することは、前記トーンインターリーブされたＬＴＦのうちの前記最後のものの中のトーンにおける極性変化を検出することを備える、請求項１４に記載の方法。
【請求項１６】
各トーンインターリーブされたＬＴＦにおいて、前記トーンの前記第１および第２のサブセットは１つまたは複数のサブバンドの第１のセットに関連付けられ、第３の空間ストリームはトーンの第３のサブセットに関連付けられ、第４の空間ストリームは、前記トーンの前記第３のサブセットとインターリーブされたトーンの第４のサブセットに関連付けられ、前記トーンの前記第３および第４のサブセットは、前記第１のセットとは異なる、１つまたは複数のサブバンドの第２のセットに関連付けられる、請求項１に記載の方法。
【請求項１７】
前記周波数オフセット調節を実施することは、周波数誤差に起因して起こる位相オフセットを補正するための位相オフセット調節を実施することを備える、請求項１に記載の方法。
【請求項１８】
前記トーンインターリーブされたＬＴＦのうちの少なくとも１つは、４μｓよりも大きい持続時間を有するシンボルを備える、請求項１に記載の方法。
【請求項１９】
残留周波数オフセット誤差を扱うための装置であって、
トーンインターリーブされたロングトレーニングフィールド（ＬＴＦ）を備えるプリアンブル部分を有するパケットを受信するように構成された受信機と、ここで、各トーンインターリーブされたＬＴＦにおいて、第１の空間ストリームはトーンの第１のサブセットに関連付けられ、第２の空間ストリームは、前記トーンの前記第１のサブセットとインターリーブされた前記トーンの第２のサブセットに関連付けられる、
前記トーンインターリーブされたＬＴＦに基づいて、前記パケットに対して周波数オフセット調節を実施するように構成された処理システムと、
を備える装置。
【請求項２０】
前記ＬＴＦの数は、前記装置によって受信された空間ストリームの数よりも１大きい、請求項１９に記載の装置。
【請求項２１】
前記トーンインターリーブされたＬＴＦのうちの最後のものは、前記トーンインターリーブされたＬＴＦのうちの最初のもののコピーである、請求項２０に記載の装置。
【請求項２２】
前記処理システムは、周波数オフセットを決定するのに、前記トーンインターリーブされたＬＴＦの前記最初のものと前記最後のものとの間のいくつかのトーンサブセットについての位相差を使うことによって、前記周波数オフセット調節を実施するように構成され、ここで、前記トーンサブセットの数は空間ストリームの前記数に等しい、請求項２１に記載の装置。
【請求項２３】
前記トーンインターリーブされたＬＴＦの各々は、アップリンク（ＵＬ）マルチユーザ（ＭＵ）多入力多出力（ＭＩＭＯ）送信における各ユーザの各空間ストリーム用に指定されたインターリーブトーンを備える、請求項１９に記載の装置。
【請求項２４】
各ユーザの各空間ストリーム用に指定された前記インターリーブトーンのパターンは、２つの連続するトーンインターリーブされたＬＴＦの間でシフトされる、請求項２３に記載の装置。
【請求項２５】
前記インターリーブトーンの前記パターンは１トーンだけシフトされる、請求項２４に記載の装置。
【請求項２６】
前記インターリーブトーンの前記パターンは２トーンだけ、または４トーンだけシフトされる、請求項２４に記載の装置。
【請求項２７】
各空間ストリームは、前記トーンインターリーブされたＬＴＦのためのすべてのトーンの２分の１または４分の１をカバーする、請求項２６に記載の装置。
【請求項２８】
前記処理システムは、前記周波数オフセット調節を実施する前に欠落トーンを補間するようにさらに構成される、請求項２７に記載の装置。
【請求項２９】
前記トーンインターリーブされたＬＴＦのうちの最後のものは、あるパターンによる、前記トーンインターリーブされたＬＴＦの１つまたは複数の先行ＬＴＦの異なる部分のコピーである、請求項２０に記載の装置。
【請求項３０】
前記処理システムは、前記パターンによる、前記１つまたは複数の先行ＬＴＦの前記異なる部分と、前記トーンインターリーブされたＬＴＦのうちの前記最後のものとの間のいくつかのトーンサブセットについての位相差を補正することによって、前記周波数オフセット調節を実施するように構成される、請求項２９に記載の装置。
【請求項３１】
前記位相差を補正することは、前記空間ストリームの各々のための前記先行ＬＴＦの各々についての位相オフセットを決定することを備える、請求項３０に記載の装置。
【請求項３２】
前記処理システムは、
前記トーンインターリーブされたＬＴＦのうちの前記最後のものに埋め込まれた信号（ＳＩＧ）フィールド中の情報を抽出し、
前記ＳＩＧフィールド中の前記情報に基づいて前記パケットを処理するようにさらに構成される、請求項２９に記載の装置。
【請求項３３】
前記処理システムは、前記トーンインターリーブされたＬＴＦのうちの前記最後のものの中のトーンにおける極性変化を検出することによって、前記情報を抽出するように構成される、請求項３２に記載の装置。
【請求項３４】
各トーンインターリーブされたＬＴＦにおいて、前記トーンの前記第１および第２のサブセットは１つまたは複数のサブバンドの第１のセットに関連付けられ、第３の空間ストリームはトーンの第３のサブセットに関連付けられ、第４の空間ストリームは、前記トーンの前記第３のサブセットとインターリーブされたトーンの第４のサブセットに関連付けられ、前記トーンの前記第３および第４のサブセットは、前記第１のセットとは異なる、１つまたは複数のサブバンドの第２のセットに関連付けられる、請求項１９に記載の装置。
【請求項３５】
前記処理システムは、周波数誤差に起因して起こる位相オフセットを補正するための位相オフセット調節を実施することによって、前記周波数オフセット調節を実施するように構成される、請求項１９に記載の装置。
【請求項３６】
前記トーンインターリーブされたＬＴＦのうちの少なくとも１つは、４μｓよりも大きい持続時間を有するシンボルを備える、請求項１９に記載の装置。
【請求項３７】
残留周波数オフセット誤差を扱うための装置であって、
トーンインターリーブされたロングトレーニングフィールド（ＬＴＦ）を備えるプリアンブル部分を有するパケットを受信するための手段と、ここで、各トーンインターリーブされたＬＴＦにおいて、第１の空間ストリームはトーンの第１のサブセットに関連付けられ、第２の空間ストリームは、前記トーンの前記第１のサブセットとインターリーブされた前記トーンの第２のサブセットに関連付けられる、
前記トーンインターリーブされたＬＴＦに基づいて、前記パケットに対して周波数オフセット調節を実施するための手段と、
を備える装置。
【発明の詳細な説明】
【技術分野】
【０００１】
米国特許法第１１９条による優先権の主張
[0001]本出願は、各々が、参照によりその全体が本明細書に組み込まれている、２０１３年７月１７日に出願した米国仮特許出願第６１／８４７，３８６号、２０１３年１０月１８日に出願した米国仮特許出願第６１／８９２，９４６号、２０１３年１２月１０日に出願した米国仮特許出願第６１／９１４，２７６号、および２０１４年４月２３日に出願した米国仮特許出願第６１／９８３，３６５号の利益を主張する。
【０００２】
[0002]本開示のいくつかの態様は概して、ワイヤレス通信に関し、より詳細には、アップリンク（ＵＬ）マルチユーザ多入力多出力（ＭＵ−ＭＩＭＯ）送信のための様々な物理レイヤ（ＰＨＹ）態様に関する。
【背景技術】
【０００３】
[0003]ワイヤレス通信システムに要求される帯域幅要件の増加の問題に対処するために、高いデータスループットを達成しながら、複数のユーザ端末がチャネルリソースを共有することによって単一のアクセスポイントと通信することを可能にするための様々な方式が開発されている。多入力多出力（ＭＩＭＯ）技術は、次世代通信システムのための普及している技法として最近現れた１つのそのような手法を表す。ＭＩＭＯ技術は、米国電気電子技術者協会（ＩＥＥＥ）８０２．１１規格など、いくつかの新生のワイヤレス通信規格において採用されている。ＩＥＥＥ８０２．１１規格は、（たとえば、数十メートルから数百メートルの）短距離通信用にＩＥＥＥ８０２．１１委員会によって開発されたワイヤレスローカルエリアネットワーク（ＷＬＡＮ）エアインターフェース規格のセットを示す。
【０００４】
[0004]ＭＩＭＯシステムは、データ送信用の複数（ＮT）個の送信アンテナと複数（ＮR）個の受信アンテナとを使用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは性能の改善（たとえば、より高いスループットおよび／またはより大きい信頼性）を与えることができる。
【０００５】
[0005]単一アクセスポイント（ＡＰ）および複数のユーザ局（ＳＴＡ）を有するワイヤレスネットワークでは、アップリンクとダウンリンク方向の両方で、異なる局に向かって複数のチャネル上で同時送信が起こり得る。そのようなシステムには多くの課題が存在する。
【発明の概要】
【０００６】
[0006]本開示のいくつかの態様は概して、ＵＬ  ＭＵ−ＭＩＭＯ送信のための様々なＰＨＹ態様に関する。これらのＰＨＹ態様は、ＨＥＷ（高効率ＷｉＦｉ（登録商標）または高効率ＷＬＡＮ）システムなど、様々な適切な無線アクセスネットワーク（ＲＡＮ）のうちのいずれにおいても使われ得る。
【０００７】
[0007]本開示のいくつかの態様は、ワイヤレス通信のための方法を提供する。この方法は概して、プリアンブル部分を有するパケットを生成することと、パケットを送信することとを含む。プリアンブル部分は通常、ロングトレーニングフィールド（ＬＴＦ）と、ＬＴＦに後続する第１の信号（ＳＩＧ）フィールドと、第１のＳＩＧフィールドの後に位置する１つまたは複数の他のＬＴＦと、少なくとも１つの第２のＳＩＧフィールドとを含み、ここで、第１のＳＩＧフィールド以外の、プリアンブル部分中のすべてのＳＩＧフィールドは、１つまたは複数の他のＬＴＦに後続する。
【０００８】
[0008]本開示のいくつかの態様は、ワイヤレス通信のための装置を提供する。この装置は概して、プリアンブル部分を有するパケットを生成するように構成された処理システムと、パケットを送信するように構成された送信機とを含む。プリアンブル部分は通常、ＬＴＦと、ＬＴＦに後続する第１のＳＩＧフィールドと、第１のＳＩＧフィールドの後に位置する１つまたは複数の他のＬＴＦと、少なくとも１つの第２のＳＩＧフィールドとを含み、ここで、第１のＳＩＧフィールド以外の、プリアンブル部分中のすべてのＳＩＧフィールドは、１つまたは複数の他のＬＴＦに後続する。
【０００９】
[0009]本開示のいくつかの態様は、ワイヤレス通信のための装置を提供する。この装置は概して、プリアンブル部分を有するパケットを生成するための手段と、パケットを送信するための手段とを含む。プリアンブル部分は通常、ＬＴＦと、ＬＴＦに後続する第１のＳＩＧフィールドと、第１のＳＩＧフィールドの後に位置する１つまたは複数の他のＬＴＦと、少なくとも１つの第２のＳＩＧフィールドとを含み、ここで、第１のＳＩＧフィールド以外の、プリアンブル部分中のすべてのＳＩＧフィールドは、１つまたは複数の他のＬＴＦに後続する。
【００１０】
[0010]本開示のいくつかの態様は、プリアンブル部分を有するパケットを生成することと、パケットを送信することとを行うように実行可能な命令を有する非一時的コンピュータ可読媒体（たとえば、メモリなどのコンピュータ可読記憶デバイス）を提供する。プリアンブル部分は通常、ＬＴＦと、ＬＴＦに後続する第１のＳＩＧフィールドと、第１のＳＩＧフィールドの後に位置する１つまたは複数の他のＬＴＦと、少なくとも１つの第２のＳＩＧフィールドとを含み、ここで、第１のＳＩＧフィールド以外の、プリアンブル部分中のすべてのＳＩＧフィールドは、１つまたは複数の他のＬＴＦに後続する。
【００１１】
[0011]本開示のいくつかの態様は、ワイヤレス通信のための方法を提供する。この方法は概して、１つまたは複数のパケットを受信することであって、各パケットはプリアンブル部分を有する、受信することと、プリアンブル部分に従って１つまたは複数のパケットを処理することとを含む。プリアンブル部分は通常、ＬＴＦと、ＬＴＦに後続する第１のＳＩＧフィールドと、第１のＳＩＧフィールドの後に位置する１つまたは複数の他のＬＴＦと、少なくとも１つの第２のＳＩＧフィールドとを含む。第１のＳＩＧフィールド以外の、プリアンブル部分中のすべてのＳＩＧフィールドは、１つまたは複数の他のＬＴＦに後続する。
【００１２】
[0012]本開示のいくつかの態様は、ワイヤレス通信のための装置を提供する。この装置は概して、１つまたは複数のパケットを受信するように構成された受信機であって、各パケットはプリアンブル部分を有する、受信機と、プリアンブル部分に従って１つまたは複数のパケットを処理するように構成された処理システムとを含む。プリアンブル部分は通常、ＬＴＦと、ＬＴＦに後続する第１のＳＩＧフィールドと、第１のＳＩＧフィールドの後に位置する１つまたは複数の他のＬＴＦと、少なくとも１つの第２のＳＩＧフィールドとを含む。第１のＳＩＧフィールド以外の、プリアンブル部分中のすべてのＳＩＧフィールドは、１つまたは複数の他のＬＴＦに後続する。
【００１３】
[0013]本開示のいくつかの態様は、ワイヤレス通信のための装置を提供する。この装置は概して、１つまたは複数のパケットを受信するための手段であって、各パケットはプリアンブル部分を有する、受信するための手段と、プリアンブル部分に従って１つまたは複数のパケットを処理するための手段とを含む。プリアンブル部分は通常、ＬＴＦと、ＬＴＦに後続する第１のＳＩＧフィールドと、第１のＳＩＧフィールドの後に位置する１つまたは複数の他のＬＴＦと、少なくとも１つの第２のＳＩＧフィールドとを含む。第１のＳＩＧフィールド以外の、プリアンブル部分中のすべてのＳＩＧフィールドは、１つまたは複数の他のＬＴＦに後続する。
【００１４】
[0014]本開示のいくつかの態様は、１つまたは複数のパケットを受信することであって、各パケットはプリアンブル部分を有する、受信することと、プリアンブル部分に従って１つまたは複数のパケットを処理することと、を行うように実行可能な命令を含むコンピュータ可読媒体を提供する。プリアンブル部分は通常、ＬＴＦと、ＬＴＦに後続する第１のＳＩＧフィールドと、第１のＳＩＧフィールドの後に位置する１つまたは複数の他のＬＴＦと、少なくとも１つの第２のＳＩＧフィールドとを含む。第１のＳＩＧフィールド以外の、プリアンブル部分中のすべてのＳＩＧフィールドは、１つまたは複数の他のＬＴＦに後続する。
【００１５】
[0015]本開示のいくつかの態様は、ワイヤレス通信のための方法を提供する。この方法は概して、１つまたは複数のパケットを生成することであって、各パケットはプリアンブル部分を有する、生成することと、１つまたは複数のパケットを送信することとを含む。プリアンブル部分は通常、１つまたは複数の高効率ロングトレーニングフィールド（ＨＥ−ＬＴＦ）と、ＨＥ−ＬＴＦの後に位置する高効率信号（ＨＥ−ＳＩＧ）フィールドとを含む。
【００１６】
[0016]本開示のいくつかの態様は、ワイヤレス通信のための装置を提供する。この装置は概して、１つまたは複数のパケットを生成するように構成された処理システムであって、各パケットはプリアンブル部分を有する、処理システムと、１つまたは複数のパケットを送信するように構成された送信機とを含む。プリアンブル部分は通常、１つまたは複数のＨＥ−ＬＴＦと、ＨＥ−ＬＴＦの後に位置するＨＥ−ＳＩＧフィールドとを含む。
【００１７】
[0017]本開示のいくつかの態様は、ワイヤレス通信のための装置を提供する。この装置は概して、１つまたは複数のパケットを生成するための手段であって、各パケットはプリアンブル部分を有する、生成するための手段と、１つまたは複数のパケットを送信するための手段とを含む。プリアンブル部分は通常、１つまたは複数のＨＥ−ＬＴＦと、ＨＥ−ＬＴＦの後に位置するＨＥ−ＳＩＧフィールドとを含む。
【００１８】
[0018]本開示のいくつかの態様は、１つまたは複数のパケットを生成することであって、各パケットはプリアンブル部分を有する、生成することと、１つまたは複数のパケットを送信することとを、を行うように実行可能な命令を有するコンピュータ可読媒体を提供する。プリアンブル部分は通常、１つまたは複数のＨＥ−ＬＴＦと、ＨＥ−ＬＴＦの後に位置するＨＥ−ＳＩＧフィールドとを含む。
【００１９】
[0019]本開示のいくつかの態様は、ワイヤレス通信のための方法を提供する。この方法は概して、１つまたは複数のパケットを受信することであって、各パケットはプリアンブル部分を有する、受信することと、プリアンブル部分に従って１つまたは複数のパケットを処理することとを含む。プリアンブル部分は通常、１つまたは複数のＨＥ−ＬＴＦと、ＨＥ−ＬＴＦの後に位置するＨＥ−ＳＩＧフィールドとを含む。
【００２０】
[0020]本開示のいくつかの態様は、ワイヤレス通信のための装置を提供する。この装置は概して、１つまたは複数のパケットを受信するように構成された受信機であって、各パケットはプリアンブル部分を有する、受信機と、プリアンブル部分に従って１つまたは複数のパケットを処理するように構成された処理システムとを含む。プリアンブル部分は通常、１つまたは複数のＨＥ−ＬＴＦと、ＨＥ−ＬＴＦの後に位置するＨＥ−ＳＩＧフィールドとを含む。
【００２１】
[0021]本開示のいくつかの態様は、ワイヤレス通信のための装置を提供する。この装置は概して、１つまたは複数のパケットを受信するための手段であって、各パケットはプリアンブル部分を有する、受信するための手段と、プリアンブル部分に従って１つまたは複数のパケットを処理するための手段とを含む。プリアンブル部分は通常、１つまたは複数のＨＥ−ＬＴＦと、ＨＥ−ＬＴＦの後に位置するＨＥ−ＳＩＧフィールドとを含む。
【００２２】
[0022]本開示のいくつかの態様は、１つまたは複数のパケットを受信することであって、各パケットはプリアンブル部分を有する、受信することと、プリアンブル部分に従って１つまたは複数のパケットを処理することと、を行うように実行可能な命令を有するコンピュータ可読媒体を提供する。プリアンブル部分は通常、１つまたは複数のＨＥ−ＬＴＦと、ＨＥ−ＬＴＦの後に位置するＨＥ−ＳＩＧフィールドとを含む。
【００２３】
[0023]本開示のいくつかの態様は、ユーザ別位相オフセットに合わせて調節する方法を提供する。この方法は概して、１つまたは複数の装置から、１つまたは複数のパケットを受信することであって、各パケットはプリアンブル部分とデータ部分とを備え、データ部分は複数のパイロット信号を備える、受信することと、複数のパイロット信号に基づいて、装置のうちの少なくとも１つについてのデータ部分中の少なくとも１つのシンボルについての位相オフセットを決定することとを含む。
【００２４】
[0024]本開示のいくつかの態様は、ユーザ別位相オフセットに合わせて調節するように構成された装置を提供する。本装置は、概して、受信機と処理システムとを含む。受信機は通常、１つまたは複数の他の装置から、１つまたは複数のパケットを受信するように構成され、ここで、各パケットはプリアンブル部分とデータ部分とを備え、データ部分は複数のパイロット信号を備える。処理システムは概して、複数のパイロット信号に基づいて、他の装置のうちの少なくとも１つについてのデータ部分中の少なくとも１つのシンボルについての位相オフセットを決定するように構成される。
【００２５】
[0025]本開示のいくつかの態様は、ユーザ別位相オフセットに合わせて調節することが可能な装置を提供する。この装置は概して、１つまたは複数の他の装置から、１つまたは複数のパケットを受信するための手段であって、各パケットはプリアンブル部分とデータ部分とを備え、データ部分は複数のパイロット信号を備える、受信するための手段と、複数のパイロット信号に基づいて、他の装置のうちの少なくとも１つについてのデータ部分中の少なくとも１つのシンボルについての位相オフセットを決定するための手段とを含む。
【００２６】
[0026]本開示のいくつかの態様は、ユーザ別位相オフセットに合わせて調節するためのコンピュータ可読媒体を提供し、該媒体は、１つまたは複数の装置から、１つまたは複数のパケットを受信することであって、各パケットはプリアンブル部分とデータ部分とを備え、データ部分は複数のパイロット信号を備える、受信することと、複数のパイロット信号に基づいて、装置のうちの少なくとも１つについてのデータ部分中の少なくとも１つのシンボルについての位相オフセットを決定することと、を行うように実行可能な命令を有する。
【００２７】
[0027]本開示のいくつかの態様は、残留周波数オフセット誤差を扱うための方法を提供する。この方法は概して、プリアンブル部分を有するパケットを受信することと、既知のデータを有するプリアンブル部分中の２つのシンボルに基づいて周波数オフセットを決定することとを含み、ここで、２つのシンボルは、連続するシンボルの間のガードインターバルよりも離間される。
【００２８】
[0028]本開示のいくつかの態様は、残留周波数オフセット誤差を扱うための装置を提供する。この装置は概して、プリアンブル部分を有するパケットを受信するように構成された受信機と、既知のデータを有するプリアンブル部分中の２つのシンボルに基づいて周波数オフセットを決定するように構成された処理システムとを含み、ここで、２つのシンボルは、連続するシンボルの間のガードインターバルよりも離間される。
【００２９】
[0029]本開示のいくつかの態様は、残留周波数オフセット誤差を扱うための装置を提供する。この装置は概して、プリアンブル部分を有するパケットを受信するための手段と、既知のデータを有するプリアンブル部分中の２つのシンボルに基づいて周波数オフセットを決定するための手段とを含み、ここで、２つのシンボルは、連続するシンボルの間のガードインターバルよりも離間される。
【００３０】
[0030]本開示のいくつかの態様は、残留周波数オフセット誤差を扱うためのコンピュータ可読媒体を提供し、該媒体は、プリアンブル部分を有するパケットを受信することと、既知のデータを有するプリアンブル部分中の２つのシンボルに基づいて周波数オフセットを決定することとを行うように実行可能な命令を有し、ここで、２つのシンボルは、連続するシンボルの間のガードインターバルよりも離間される。
【００３１】
[0031]本開示のいくつかの態様は、残留周波数オフセット誤差を扱うための方法を提供する。この方法は概して、装置から、トーンインターリーブＬＴＦ（tone-interleaved LTFs）を備えるプリアンブル部分を有するパケットを受信することと、トーンインターリーブＬＴＦに基づいて、パケットに対して周波数オフセット調節を実施することとを含む。
【００３２】
[0032]本開示のいくつかの態様は、残留周波数オフセット誤差を扱うための装置を提供する。この装置は概して、別の装置から、トーンインターリーブＬＴＦを含むプリアンブル部分を有するパケットを受信するように構成された受信機と、トーンインターリーブＬＴＦに基づいて、パケットに対して周波数オフセット調節を実施するように構成された処理システムとを含む。
【００３３】
[0033]本開示のいくつかの態様は、残留周波数オフセット誤差を扱うための装置を提供する。この装置は概して、別の装置から、トーンインターリーブＬＴＦを備えるプリアンブル部分を有するパケットを受信するための手段と、トーンインターリーブＬＴＦに基づいて、パケットに対して周波数オフセット調節を実施するための手段とを含む。
【００３４】
[0034]本開示のいくつかの態様は、残留周波数オフセット誤差を扱うためのコンピュータ可読媒体を提供し、該媒体は、装置から、トーンインターリーブＬＴＦを備えるプリアンブル部分を有するパケットを受信することと、トーンインターリーブＬＴＦに基づいて、パケットに対して周波数オフセット調節を実施することと、を行うように実行可能な命令を有する。
【００３５】
[0035]本開示のいくつかの態様は、ワイヤレス通信のための方法を提供する。この方法は概して、装置において、１ｘよりも大きい（たとえば、４μｓよりも大きい）シンボル持続時間を有する１つまたは複数のＬＴＦを備えるプリアンブル部分を有するパケットを受信することと、ＬＴＦに基づいてチャネルを推定することとを含む。
【００３６】
[0036]本開示のいくつかの態様は、ワイヤレス通信のための装置を提供する。この装置は概して、１ｘよりも大きいシンボル持続時間を有する１つまたは複数のＬＴＦを備えるプリアンブル部分を有するパケットを受信するように構成された受信機と、ＬＴＦに基づいてチャネルを推定するように構成された処理システムとを含む。
【００３７】
[0037]本開示のいくつかの態様は、ワイヤレス通信のための装置を提供する。この装置は概して、１ｘよりも大きいシンボル持続時間を有する１つまたは複数のＬＴＦを備えるプリアンブル部分を有するパケットを受信するための手段と、ＬＴＦに基づいてチャネルを推定するための手段とを含む。
【００３８】
[0038]本開示のいくつかの態様は、装置において、１ｘよりも大きいシンボル持続時間を有する１つまたは複数のＬＴＦを備えるプリアンブル部分を有するパケットを受信することと、ＬＴＦに基づいてチャネルを推定することとを行うように実行可能な命令を有するコンピュータ可読媒体を提供する。
【００３９】
[0039]本開示のいくつかの態様は、ワイヤレス通信のための方法を提供する。この方法は概して、装置において、１つまたは複数のＬＴＦを備えるプリアンブル部分を有するパケットを受信することであって、ＬＴＦは、時間領域において空間ストリームを分離するように直交カバーが適用されている、受信することと、ＬＴＦに基づいてチャネルを推定することとを含む。
【００４０】
[0040]本開示のいくつかの態様は、ワイヤレス通信のための装置を提供する。この装置は概して、１つまたは複数のＬＴＦを備えるプリアンブル部分を有するパケットを受信するように構成された受信機であって、ＬＴＦは、時間領域において空間ストリームを分離するように直交カバーが適用されている、受信機と、ＬＴＦに基づいてチャネルを推定するように構成された処理システムとを含む。
【００４１】
[0041]本開示のいくつかの態様は、ワイヤレス通信のための装置を提供する。この装置は概して、１つまたは複数のＬＴＦを備えるプリアンブル部分を有するパケットを受信するための手段であって、ＬＴＦは、時間領域において空間ストリームを分離するように直交カバーが適用されている、受信するための手段と、ＬＴＦに基づいてチャネルを推定するための手段とを含む。
【００４２】
[0042]本開示のいくつかの態様は、装置において１つまたは複数のＬＴＦを備えるプリアンブル部分を有するパケットを受信することであって、ＬＴＦは、時間領域において空間ストリームを分離するように直交カバーが適用されている、受信することと、ＬＴＦに基づいてチャネルを推定することと、を行うように実行可能な命令を有するコンピュータ可読媒体を提供する。
【００４３】
[0043]本開示のいくつかの態様は、ワイヤレス通信のための方法を提供する。この方法は概して、装置において、１つまたは複数のＬＴＦを生成することと、時間において空間ストリームを分離するようにＬＴＦにマッピングを適用することと、マッピングされたＬＴＦを含むプリアンブル部分を有するパケットを送信することとを含む。
【００４４】
[0044]本開示のいくつかの態様は、ワイヤレス通信のための装置を提供する。この装置は概して、１つまたは複数のＬＴＦを生成することと、時間において空間ストリームを分離するようにＬＴＦにマッピングを適用することと、を行うように構成された処理システムと、マッピングされたＬＴＦを含むプリアンブル部分を有するパケットを送信するように構成された送信機とを含む。
【００４５】
[0045]本開示のいくつかの態様は、ワイヤレス通信のための装置を提供する。この装置は概して、１つまたは複数のＬＴＦを生成するための手段と、時間において空間ストリームを分離するようにＬＴＦにマッピングを適用するための手段と、マッピングされたＬＴＦを含むプリアンブル部分を有するパケットを送信するための手段とを含む。
【００４６】
[0046]本開示のいくつかの態様は、装置において、１つまたは複数のＬＴＦを生成することと、時間において空間ストリームを分離するようにＬＴＦにマッピングを適用することと、マッピングされたＬＴＦを含むプリアンブル部分を有するパケットを送信することと、を行うように実行可能な命令を有するコンピュータ可読媒体を提供する。
【００４７】
[0047]本開示のいくつかの態様は、残留周波数オフセット誤差を扱うための方法を提供する。この方法は概して、装置において、ＬＴＦを含むプリアンブル部分を有するパケットを受信することであって、各ＬＴＦについて、第１の空間ストリームは、１つまたは複数のサブバンドの第１のセットに関連付けられ、第２の空間ストリームは、第１のセットとは異なる、１つまたは複数のサブバンドの第２のセットに関連付けられる、受信することと、ＬＴＦに基づいて、パケットに対して周波数オフセット調節を実施することとを含む。
【００４８】
[0048]本開示のいくつかの態様は、ワイヤレス通信のための装置を提供する。この装置は概して、ＬＴＦを含むプリアンブル部分を有するパケットを受信するように構成された受信機であって、各ＬＴＦについて、第１の空間ストリームは、１つまたは複数のサブバンドの第１のセットに関連付けられ、第２の空間ストリームは、第１のセットとは異なる、１つまたは複数のサブバンドの第２のセットに関連付けられる、受信機と、ＬＴＦに基づいて、パケットに対して周波数オフセット調節を実施するように構成された処理システムとを含む。
【００４９】
[0049]本開示のいくつかの態様は、ワイヤレス通信のための装置を提供する。この装置は概して、ＬＴＦを含むプリアンブル部分を有するパケットを受信するための手段であって、各ＬＴＦについて、第１の空間ストリームは、１つまたは複数のサブバンドの第１のセットに関連付けられ、第２の空間ストリームは、第１のセットとは異なる、１つまたは複数のサブバンドの第２のセットに関連付けられる、受信するための手段と、ＬＴＦに基づいて、パケットに対して周波数オフセット調節を実施するための手段とを含む。
【００５０】
[0050]本開示のいくつかの態様は、残留周波数オフセット誤差を扱うためのコンピュータ可読媒体を提供し、該媒体は、装置において、ＬＴＦを含むプリアンブル部分を有するパケットを受信することであって、各ＬＴＦについて、第１の空間ストリームは、１つまたは複数のサブバンドの第１のセットに関連付けられ、第２の空間ストリームは、第１のセットとは異なる、１つまたは複数のサブバンドの第２のセットに関連付けられる、受信することと、ＬＴＦに基づいて、パケットに対して周波数オフセット調節を実施することと、を行うように実行可能な命令を有する。
【００５１】
[0051]上で記載した本開示の特徴が詳細に理解され得るよう、添付の図面にそのいくつかが図示されている態様を参照して、上で簡単に要約した説明をより詳細に説明する。しかしながら、添付の図面は本開示の特定の典型的態様を図示したものにすぎず、したがって説明は他の等しく有効な態様を許容することができるため、本開示の範囲を制限するものとして見なされるべきではないことに留意されたい。
【図面の簡単な説明】
【００５２】
【図１】[0052]本開示のいくつかの態様による、例示的なワイヤレス通信ネットワークの図。
【図２】[0053]本開示のいくつかの態様による、例示的なアクセスポイントおよび例示的なユーザ端末のブロック図。
【図３Ａ】[0054]本開示のいくつかの態様による、高効率ショートトレーニングフィールド（ＨＥ−ＳＴＦ）をもたない高効率ＷＬＡＮ（ＨＥＷ）におけるアップリンクマルチユーザ多入力多出力（ＵＬ  ＭＵ−ＭＩＭＯ）のための例示的な混合モードプリアンブルフォーマットを示す図。
【図３Ｂ】[0055]本開示のいくつかの態様による、ＨＥ−ＳＴＦをもつＨＥＷにおけるＵＬ  ＭＵ−ＭＩＭＯのための例示的な混合モードプリアンブルフォーマットを示す図。
【図３Ｃ】[0056]本開示のいくつかの態様による、図３ＢのＨＥ−ＳＴＦの代わりに多重実数シンボルＨＥ−ＳＩＧ０をもつＨＥＷにおけるＵＬ  ＭＵ−ＭＩＭＯのための例示的な混合モードプリアンブルフォーマットを示す図。
【図４】[0057]本開示のいくつかの態様による、ＨＥＷにおけるＵＬ  ＭＵ−ＭＩＭＯのための例示的なグリーンフィールドプリアンブルフォーマットを示す図。
【図５】[0058]本開示のいくつかの態様による、パケットを生成し、送信するための例示的な動作の流れ図であり、第１の信号（ＳＩＧ）フィールド以外のパケットのプリアンブル中のすべてのＳＩＧフィールドが１つまたは複数のロングトレーニングフィールド（ＬＴＦ）に後続する、流れ図。
【図５Ａ】[0059]図５に示される動作を実施することが可能な例示的な手段を示す図。
【図６】[0060]本開示のいくつかの態様による、１つまたは複数のパケットを処理するための例示的な動作の流れ図であり、第１のＳＩＧフィールド以外の各パケットのプリアンブル中のすべてのＳＩＧフィールドが１つまたは複数のＬＴＦに後続する、流れ図。
【図６Ａ】[0061]図６に示される動作を実施することが可能な例示的手段を示す図。
【図７】[0062]本開示のいくつかの態様による、１つまたは複数の高効率ロングトレーニングフィールド（ＨＥ−ＬＴＦ）と高効率信号（ＨＥ−ＳＩＧ）フィールドとを備えるプリアンブル部分をもつパケットを生成するための例示的な動作の流れ図。
【図７Ａ】[0063]図７に示す動作を実施することが可能な例示的手段を示す図。
【図８】[0064]本開示のいくつかの態様による、１つまたは複数のＨＥ−ＬＴＦとＨＥ−ＳＩＧフィールドとを備えるプリアンブル部分を各パケットが有する、１つまたは複数のパケットを処理するための例示的な動作の流れ図。
【図８Ａ】[0065]図８に示す動作を実施することが可能な例示的手段を示す図。
【図９】[0066]本開示のいくつかの態様による、複数のパイロット信号に基づいて位相オフセットを決定するための例示的な動作の流れ図。
【図９Ａ】[0067]図９に示される動作を実施することが可能な例示的手段を示す図。
【図１０】[0068]本開示のいくつかの態様による、２つの連続するＬＴＦの間のトーンシフトが＋１である、４つの空間ストリーム用のトーンインターリーブＬＴＦの例を示す図。
【図１１】[0069]本開示のいくつかの態様による、２つの連続するＬＴＦの間のトーンシフトが＋１以外である、４つの空間ストリーム用のトーンインターリーブＬＴＦの例を示す図。
【図１２】[0070]本開示のいくつかの態様による、各空間ストリームがトーンの半分のみをカバーする、４つの空間ストリーム用のトーンインターリーブＬＴＦの例を示す図。
【図１３】[0071]本開示のいくつかの態様による、４つの空間ストリーム用のサブバンドベースＬＴＦの例を示す図。
【図１４】[0072]本開示のいくつかの態様による、異なるＬＴＦについての、あるユーザの例示的な位相オフセットを示すグラフ。
【図１５】[0073]本開示のいくつかの態様による、ユーザ別、ＬＴＦ別の位相追跡を可能にするために、最後のＬＴＦが、あるパターンによる前のＬＴＦの異なる部分のコピーである、４つの空間ストリーム用のトーンインターリーブＬＴＦの例を示す図。
【図１６】[0074]本開示のいくつかの態様による、サブバンドベース手法とトーンインターリーブ式手法とを混合する、４つの空間ストリーム用のＬＴＦ設計のための例示的なハイブリッド手法を示す図。
【図１７】[0075]本開示のいくつかの態様による、連続するシンボルの間のガードインターバルよりも離間された２つのシンボルに基づいて周波数オフセットを決定するための例示的な動作の流れ図。
【図１７Ａ】[0076]図１７に示される動作を実施することが可能な例示的手段を示す図。
【図１８】[0077]本開示のいくつかの態様による、トーンインターリーブＬＴＦに基づいて周波数オフセット調節を実施するための例示的な動作の流れ図。
【図１８Ａ】[0078]図１８に示される動作を実施することが可能な例示的手段を示す図。
【図１９】[0079]本開示のいくつかの態様による、サブバンドベースＬＴＦに基づいて周波数オフセット調節を実施するための例示的な動作の流れ図。
【図１９Ａ】[0080]図１９に示す動作を実施することが可能な例示的手段を示す図。
【図２０】[0081]本開示のいくつかの態様による、トーンインターリーブ位相補正ＬＴＦシンボルが後に続く、トーンインターリーブＬＴＦを使うチャネル推定のためのオプションを示す図。
【図２１】[0082]本開示のいくつかの態様による、周波数領域中の直交カバーを使うチャネル推定のためのオプションを示す図。
【図２２】[0083]本開示のいくつかの態様による、２つのＬＴＦシンボルの後に位相補正ＬＴＦシンボルが続く、例示的な８人のユーザのケースのための図２１の直交カバーの使用を示す図。
【図２３】[0084]本開示のいくつかの態様による、直交カバー中のトーンの数が空間ストリームの数よりも小さいときの、周波数領域中で直交カバーを使うチャネル推定のためのオプションを示す図。
【図２４】[0085]本開示のいくつかの態様による、１ｘよりも大きいシンボル持続時間を有するＬＴＦに基づいてチャネルを推定するための例示的な動作の流れ図。
【図２４Ａ】[0086]図２４に示される動作を実施することが可能な例示的手段を示す図。
【図２５】[0087]本開示のいくつかの態様による、直交カバーが適用されるＬＴＦに基づいてチャネルを推定するための例示的な動作の流れ図。
【図２５Ａ】[0088]図２５に示される動作を実施することが可能な例示的手段を示す図。
【発明を実施するための形態】
【００５３】
[0089]本開示の様々な態様は、添付の図面に関連して以下でより完全に説明される。しかしながら、本開示は、多くの異なる形態で具現化されてもよく、本開示の全体にわたって提示されるいずれかの特定の構造または機能に限定されると解釈されるべきでない。むしろ、これらの態様は、本開示が、完全で完璧となるように、および当業者に完全に本開示の範囲を伝えるように提供される。本明細書の教示に基づいて、当業者は、本開示の範囲が、本開示の任意のその他の態様とは無関係に、または組み合わされて実施されるかどうかにかかわらず、本明細書に開示される本開示のいかなる態様をもカバーすることが意図されていることを認識されたい。たとえば、本明細書に記載した態様をいくつ使用しても、装置は実装され得、または方法は実施され得る。さらに、本開示の範囲は、本明細書に記載した本開示の様々な態様に加えてまたはそれらの態様以外に、他の構造、機能、または構造および機能を使用して実施されるそのような装置または方法をカバーするものとする。本明細書に開示される本開示のいかなる態様も請求項の１つまたは複数の要素によって具現化されてもよいことを理解されたい。
【００５４】
[0090]「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００５５】
[0091]本明細書では特定の態様について説明するが、これらの態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図において、および好適な態様についての以下の説明において示す。発明を実施するための形態および図面は、限定的なものではなく本開示を例示するものにすぎず、本開示の範囲は、添付の特許請求の範囲およびその均等物によって規定される。
【００５６】
例示的なワイヤレス通信システム
[0092]本明細書で説明される技法は、直交多重化方式に基づく通信システムを含む、様々なブロードバンドワイヤレス通信システムに使用され得る。そのような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００５７】
[0093]本明細書の教示は、様々なワイヤードまたはワイヤレス装置（たとえば、ノード）に組み込まれ得る（たとえば、その装置内に実装され、またはその装置によって実施され得る）。いくつかの態様では、本明細書の教示に従って実装されるワイヤレスノードはアクセスポイントまたはアクセス端末を備え得る。
【００５８】
[0094]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらとして実装されるか、またはそれらとして知られ得る。
【００５９】
[0095]アクセス端末（「ＡＴ」）は、加入者局、加入者ユニット、移動局、リモート局、リモート端末、ユーザ端末、ユーザエージェント、ユーザデバイス、ユーザ機器、ユーザ局、または何らかの他の用語を備えるか、それらとして実装されるか、またはそれらとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラーフォンもしくはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードもしくはワイヤレス通信リンクを介した、ネットワーク（たとえば、インターネットもしくはセルラーネットワークのようなワイドエリアネットワーク）のための、またはネットワークへの接続性を与え得る。
【００６０】
[0096]図１は、アクセスポイントとユーザ端末とをもつ多元接続多入力多出力（ＭＩＭＯ）システム１００を示す。簡単のために、図１にはただ１つのアクセスポイント１１０を示してある。アクセスポイントは、概して、ユーザ端末と通信する固定局であり、基地局または何らかの他の用語で呼ばれることもある。ユーザ端末は、固定でも移動でもよく、移動局、ワイヤレスデバイスまたは何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０が、アクセスポイントに結合し、アクセスポイントの調整および制御を行う。
【００６１】
[0097]以下の開示の部分では、空間分割多元接続（ＳＤＭＡ）によって通信することが可能なユーザ端末１２０を説明するが、いくつかの態様では、ユーザ端末１２０は、ＳＤＭＡをサポートしないいくつかのユーザ端末も含み得る。したがって、そのような態様では、アクセスポイント（ＡＰ）１１０は、ＳＤＭＡユーザ端末と非ＳＤＭＡユーザ端末の両方と通信するように構成され得る。この手法は、都合のよいことに、より新しいＳＤＭＡユーザ端末が適宜に導入されることを可能にしながら、より古いバージョンのユーザ端末（「レガシー」局）が企業に配備されたままであることを可能にして、それらの有効寿命を延長することができる。
【００６２】
[0098]システム１００は、ダウンリンクおよびアップリンク上でのデータ伝送のために複数の送信アンテナと複数の受信アンテナとを利用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力を集合的に表し、アップリンク送信では多入力を集合的に表す。純粋なＳＤＭＡの場合、Ｋ個のユーザ端末のためのデータシンボルストリームが、何らかの手段によって、コード、周波数または時間で多重化されない場合、Ｎap≧Ｋ≧１であることが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各選択されたユーザ端末は、ユーザ固有データをアクセスポイントに送信し、および／またはアクセスポイントからユーザ固有データを受信する。一般に、各々の選択されたユーザ端末は、１つまたは複数のアンテナを装備し得る（すなわち、Ｎut≧１）。Ｋ個の選択されたユーザ端末は、同じまたは異なる数のアンテナを有し得る。
【００６３】
[0099]システム１００は時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。システム１００はまた、送信／受信を異なるタイムスロットに分割することによってユーザ端末１２０が同じ周波数チャネルを共有する場合、ＴＤＭＡシステムであってもよく、各タイムスロットは、異なるユーザ端末１２０に割り当てられる。
【００６４】
[0100]図２は、ＭＩＭＯシステム１００におけるアクセスポイント１１０と２つのユーザ端末１２０ｍおよび１２０ｘとのブロック図を示す。アクセスポイント１１０はＮt個のアンテナ２２４ａ〜２２４ｔを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時伝送のために選択され、Ｎdn個のユーザ端末がダウンリンク上での同時伝送のために選択され、Ｎupは、Ｎdnに等しいことも等しくないこともあり、ＮupおよびＮdnは、静的な値であってよくまたはスケジュールインターバルごとに変化してよい。アクセスポイントおよびユーザ端末において、ビームステアリングまたは何らかの他の空間処理技法が使用され得る。
【００６５】
[0101]アップリンク上では、アップリンク送信のために選択された各ユーザ端末１２０において、ＴＸデータプロセッサ２８８は、データソース２８６からトラフィックデータを受信し、コントローラ２８０から制御データを受信する。ＴＸデータプロセッサ２８８は、ユーザ端末のために選択されたレートに関連するコーディングおよび変調方式に基づいてユーザ端末のためにトラフィックデータを処理（たとえば、符号化、インターリーブ、および変調）し、データシンボルストリームを与える。ＴＸ空間プロセッサ２９０は、データシンボルストリームに対して空間処理を実施し、Ｎut,m個の送信シンボルストリームをＮut,m個のアンテナに与える。各送信機ユニット（ＴＭＴＲ）２５４は、それぞれの送信シンボルストリームを受信し、処理（たとえば、アナログ変換、増幅、フィルタ処理、および周波数アップコンバート）してアップリンク信号を生成する。Ｎut,m個の送信機ユニット２５４は、Ｎut,m個のアンテナ２５２からアクセスポイントへの送信のためのＮut,m個のアップリンク信号を与える。
【００６６】
[0102]アップリンク上での同時伝送のためにＮup個のユーザ端末がスケジューリングされ得る。これらのユーザ端末の各々は、そのデータシンボルストリームに対して空間処理を実施し、アップリンク上で送信シンボルストリームのそのセットをアクセスポイントに送信する。
【００６７】
[0103]アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実施された処理を補足する処理を実施し、受信シンボルストリームを与える。ＲＸ空間プロセッサ２４０は、Ｎap個の受信機ユニット２２２からのＮap個の受信されたシンボルストリームに対して受信機空間処理を実施し、Ｎup個の復元されたアップリンクデータシンボルストリームを与える。受信機空間処理は、チャネル相関行列反転（ＣＣＭＩ）、最小平均２乗誤差（ＭＭＳＥ）、ソフト干渉除去（ＳＩＣ）、または何らかの他の技法に従って実施される。各復元アップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元アップリンクデータシンボルストリームを処理（たとえば、復調、デインターリーブ、および復号）する。各ユーザ端末の復号データは、記憶のためにデータシンク２４４に与えられ、および／またはさらなる処理のためにコントローラ２３０に与えられ得る。
【００６８】
[0104]ダウンリンク上では、アクセスポイント１１０において、ＴＸデータプロセッサ２１０は、ダウンリンク送信のためにスケジュールされたＮdn個のユーザ端末のためのデータソース２０８からトラフィックデータを受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末のために選択されたレートに基づいてそのユーザ端末のトラフィックデータを処理（たとえば、符号化、インターリーブ、および変調）する。ＴＸデータプロセッサ２１０は、Ｎdn個のダウンリンクデータシンボルストリームをＮdn個のユーザ端末に与える。ＴＸ空間プロセッサ２２０は、Ｎdn個のダウンリンクデータシンボルストリームに対して（本開示で説明されるプリコーディングまたはビームフォーミングなどの）空間処理を実施し、Ｎap個の送信シンボルストリームをＮap個のアンテナに与える。各送信機ユニット２２２は、それぞれの送信シンボルストリームを受信し、処理してダウンリンク信号を生成する。Ｎap個の送信機ユニット２２２は、Ｎap個のアンテナ２２４からユーザ端末への送信のためのＮap個のダウンリンク信号を与える。
【００６９】
[0105]各ユーザ端末１２０において、Ｎut,m個のアンテナ２５２は、アクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実施し、復元されたダウンリンクデータシンボルストリームをユーザ端末に与える。受信機空間処理は、ＣＣＭＩ、ＭＭＳＥ、または何らかの他の技法に従って実施される。ＲＸデータプロセッサ２７０は、ユーザ端末のための復号データを取得するために、復元ダウンリンクデータシンボルストリームを処理（たとえば、復調、デインターリーブおよび復号）する。
【００７０】
[0106]各ユーザ端末１２０において、チャネル推定器２７８は、ダウンリンクチャネル応答を推定し、チャネル利得推定値、ＳＮＲ推定値、ノイズ分散などを含み得るダウンリンクチャネル推定値を与える。同様に、チャネル推定器２２８は、アップリンクチャネル応答を推定し、アップリンクチャネル推定値を与える。各ユーザ端末用のコントローラ２８０は通常、ユーザ端末についての空間フィルタ行列を、そのユーザ端末についてのダウンリンクチャネル応答行列Ｈdn,mに基づいて導出する。コントローラ２３０は、アクセスポイントについての空間フィルタ行列を、実効アップリンクチャネル応答行列Ｈup,effに基づいて導出する。各ユーザ端末のコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれ、アクセスポイント１１０およびユーザ端末１２０における様々な処理ユニットの動作を制御する。
【００７１】
[0107]図示されるように、図１および図２において、１つまたは複数のユーザ端末１２０が、たとえば、本明細書において記載される（たとえば、図３Ａ〜図４に示される例示的なフォーマットのうちの１つによる）プリアンブルフォーマットをもつ１つまたは複数の高効率ＷＬＡＮ（ＨＥＷ）パケット１５０を、ＵＬ  ＭＵ−ＭＩＭＯ送信の一部としてアクセスポイント１１０に送り得る。各ＨＥＷパケット１５０は、１つまたは複数の空間ストリーム（たとえば、最大４つ）のセット上で送信され得る。いくつかの態様について、ＨＥＷパケット１５０のプリアンブル部分は、（たとえば、図１０〜図１３、図１５、および図１６に示される例示的な実装形態のうちの１つによる）トーンインターリーブＬＴＦ、サブバンドベースＬＴＦ、またはハイブリッドＬＴＦを含み得る。
【００７２】
[0108]ＨＥＷパケット１５０は、ユーザ端末１２０におけるパケット生成ユニット２８７によって生成され得る。パケット生成ユニット２８７は、ＴＸデータプロセッサ２８８、コントローラ２８０、および／またはデータソース２８６中など、ユーザ端末１２０の処理システム中で実装され得る。
【００７３】
[0109]ＵＬ送信の後、ＨＥＷパケット１５０は、アクセスポイント１１０におけるパケット処理ユニット２４３によって処理（たとえば、復号および解釈）され得る。パケット処理ユニット２４３は、ＲＸ空間プロセッサ２４０、ＲＸデータプロセッサ２４２、またはコントローラ２３０中など、アクセスポイント１１０のプロセスシステム中で実装され得る。パケット処理ユニット２４３は、パケットタイプ（たとえば、受信パケットが、ＩＥＥＥ８０２．１１規格に対するどの修正に準拠するか）に基づいて、受信パケットを異なるように処理してよい。たとえば、パケット処理ユニット２４３は、ＩＥＥＥ８０２．１１ＨＥＷ規格に基づいてＨＥＷパケット１５０を処理してよいが、レガシーパケット（たとえば、ＩＥＥＥ８０２．１１ａ／ｂ／ｇに準拠するパケット）は、それに関連付けられた規格の修正に従って異なるやり方で解釈してよい。
【００７４】
ＷＬＡＮシステムにおけるＵＬ  ＭＵ−ＭＩＭＯのための例示的なＰＨＹ設計
[0110]本開示のいくつかの態様は、ＨＥＷ（高効率ＷｉＦｉや高効率ＷＬＡＮ）などのアドバンストシステムにおいて使われ得るプリアンブルフォーマットと他の物理レイヤ（ＰＨＹ）態様とを提供する。これらのＰＨＹ態様は、上で提示された発想の上に築くことができ、アップリンク（ＵＬ）マルチユーザ多入力多出力（ＭＵ−ＭＩＭＯ）送信に使われ得る。
【００７５】
[0111]ＵＬ  ＭＵ−ＭＩＭＯは、自由度利得（degrees of freedom gain）を提供し、ＡＰ１１０の近くのクライアント（たとえば、ＳＴＡ）が限られた数のアンテナを有するときであっても、これらのクライアントのための高いＵＬネットワークスループットを可能にする。ただし、クライアントからのＵＬ  ＭＵ−ＭＩＭＯ送信は、ＡＰ１１０による先行セットアップを必要とし得る。このセットアップは、ストリーム割振りと、周波数補正基準（たとえば、ＵＬ用にＳＴＡにおいて実施される場合）と、ＵＬにおいて送信するための厳密な時間と、潜在電力制御情報とを伴い得る。
【００７６】
[0112]ＨＥＷ用のＵＬ  ＭＵ−ＭＩＭＯは、ＤＬ  ＭＵ−ＭＩＭＯと同様の仕様を伴い得る。たとえば、ＵＬ  ＭＵ−ＭＩＭＯは、ステーション（ＳＴＡ）ごとに最大４つのストリームという、合計で最大８つの空間ストリームを認め得る。さらに、ＵＬ  ＭＵ−ＭＩＭＯ送信ごとに最大４人のユーザが許可され得る。
【００７７】
オプション１ａ：混合モードプリアンブルフォーマット
[0113]図３Ａは、本開示のいくつかの態様による、高効率ＷＬＡＮ（ＨＥＷ）におけるＵＬ  ＭＵ−ＭＩＭＯのための例示的な混合モードプリアンブルフォーマット３００を示す。フレームフォーマットのデータ部分３０２が図３Ａに示されているが、データ部分はフレームフォーマットのプリアンブル部分の一部ではない。データ部分３０２は、各ユーザによって送信される各空間ストリームについてのＵＬデータを含む。
【００７８】
[0114]プリアンブル部分はレガシー部分を含み、レガシー部分は、３つのフィールド、すなわちレガシーショートトレーニングフィールド（Ｌ−ＳＴＦ）３０４と、レガシーロングトレーニングフィールド（Ｌ−ＬＴＦ）３０６と、レガシー信号（Ｌ−ＳＩＧ）フィールド３０８とを含む。レガシー部分の後には、プリアンブルフォーマット３００のＨＥＷ部分が続く。ＨＥＷ部分は、いくつか（ｎ個）の高効率ロングトレーニングフィールド（ＨＥ−ＬＴＦ）３１０1〜３１０n（まとめて「ＨＥ−ＬＴＦ３１０」）を含み、後には高効率信号（ＨＥ−ＳＩＧ）フィールド３１２が続く。ＨＥ−ＬＴＦ３１０の数はアップリンクストリームの総数によって決定され、アップリンクストリームの総数は、ダウンリンク（ＤＬ）ＭＵ−ＭＩＭＯについてのものと同じであり得る。
【００７９】
[0115]アップリンク送信機会（ＴＸＯＰ）に先立って、ＡＰ１１０は、どのストリームを使うべきかと、最大ＴＸＯＰ持続時間とをクライアントに知らせてよい。クライアントは依然として、変調およびコーディング方式（ＭＣＳ）とパケット長（＜最大ＴＸＯＰ持続時間）とを決定することができる。ストリームの数は上限である。データ中のより少ない数のストリームがクライアントによって送信されてよいが、ＬＴＦの数は、ＡＰ１１０によって決定されるとともにクライアントに送信されたＡＰのメッセージ中で与えられたストリームの総数と同じままであるべきである。いくつかの態様について、クライアントは、未使用ストリーム上でゼロを送信し得る。最大ＴＸＯＰ持続時間は、Ｌ−ＳＩＧフィールド中で、アップリンククライアントによって偽装長さ（spoof length）として使われ得る。各クライアントは、異なる巡回シフトをもつ、同一のＬ−ＳＩＧフィールド３０８を送信し得る。ここでの巡回シフト遅延（ＣＳＤ）は、正確な利得設定のために、レガシーＣＳＤよりもはるかに大きい可能性が最も高くなり得るが、これは、相互相関を使うレガシーデバイスに対して問題を引き起こす場合がある。
【００８０】
[0116]いくつかの態様について、Ｌ−ＳＩＧレートは９Ｍｂｐｓに設定され得、Ｌ−ＳＩＧフィールド３０８の長さは、ＵＬ  ＭＵ−ＭＩＭＯ送信をカバーするためにレガシーデバイスになりすます（spoof）のに使われ得る。これは、四二位相偏移キーイング（ＱＢＰＳＫ：quaternary binary phase shift keying）チェックが可能性としてＨＥ−ＳＴＦおよび／または第１のＨＥ−ＬＴＦによって混乱させられることがないように、ＩＥＥＥ８０２．１１ｎおよび８０２．１１ａｃデバイスがこのチェックを適用しないことを保証する。
【００８１】
[0117]混合モードプリアンブルフォーマットの１つの利益は、ＡＰ１１０からのトリガメッセージが全員（たとえば、ＳＴＡすべて）に聞こえるとは限らないとき、Ｌ−ＳＩＧフィールド３０８が、ＳＴＡ周辺のＤＬ肯定応答（ＡＣＫ）を保護することである。ただし、欠点は、３つの余剰シンボル（たとえば、Ｌ−ＳＴＦ３０４、Ｌ−ＬＴＦ３０６、およびＬ−ＳＩＧフィールド３０８）の包含である。
【００８２】
オプション１ｂ：混合モードプリアンブルフォーマット（ＨＥ−ＳＴＦをもつ）
[0118]図３Ｂは、本開示のいくつかの態様による、ＨＥＷにおけるＵＬ  ＭＵ−ＭＩＭＯのための別の例示的な混合モードプリアンブルフォーマット３５０を示す。図３Ａのプリアンブルフォーマット３００と比較した、ここでの唯一の違いは、図３Ｂには、より大きい巡回シフトをもつＨＥ−ＳＴＦ３５２があることである。各クライアント（すなわち、ユーザ）は、同一であるが異なる巡回シフトをもつＬ−ＳＩＧフィールド３０８を送信する（ここで、Ｌ−ＳＩＧ巡回シフトは、相互相関受信機を使うレガシーデバイスに対して問題がないように、より小さくてよい）。
【００８３】
[0119]混合モードプリアンブルフォーマットの利点については上述してあり、Ｌ−ＳＩＧフィールド３０８が、ＳＴＡ周囲のＤＬ  ＡＣＫを保護する。このフォーマットの欠点は、３つの余剰シンボル（Ｌ−ＳＴＦ３０４、Ｌ−ＬＴＦ３０６、およびＬ−ＳＩＧフィールド３０８）である。
【００８４】
オプション１ｃ：混合モードプリアンブルフォーマット（ＨＥ−ＳＴＦの代わりに１つまたは複数の実数シンボルをもつ）
[0120]上述したように、混合モードプリアンブルフォーマットはいくつかの利点を有する。このプリアンブルフォーマットは、ＡＰのトリガメッセージが聞こえない重複基本サービスセット（ＯＢＳＳ）デバイスに伴う干渉問題を助ける。これは、（ＵＬ  ＭＵメッセージに応答して送られる）ＤＬ  ＡＣＫを保護すること、およびＵＬ送信が他の基本サービスセット（ＢＳＳ）での送信に対して引き起こすかもしれない潜在的干渉を防止することによって遂行される。さらに、混合モードプリアンブルフォーマットは、送信（Ｔｘ）側においてより多くの時間を与え、Ｔｘ周波数が安定するためのより多くの時間を許容し、可能性として、ＨＥＷセクションにおける設計仕様を簡単にする。
【００８５】
[0121]ＵＬフレームが適切な保護を受けるために、デバイスは、エネルギー検出は比較的敏感でないので、エネルギー検出（たとえば、絶対値の総和に基づき、和が閾を超えるかどうか決定する）ではなくプリアンブル検出（たとえば、自己相関に基づいて特定の構造を探す）を実施する可能性が最も高くなり得る。高スループットショートトレーニングフィールド（ＨＴ−ＳＴＦ）と同一である場合、ＨＥ−ＳＴＦ３５２は、ＩＥＥＥ８０２．１１ｎフォールスポジティブ（たとえば、受信パケットがＨＥＷパケットではなく８０２．１１ｎパケットであると決定する）をトリガする可能性が最も高くなり得る。高スループット信号（ＨＴ−ＳＩＧ）巡回冗長検査（ＣＲＣ）は、ＩＥＥＥ８０２．１１ｎパケットであると誤って決定されたＨＥＷパケットについて失敗（fail）することになるので、デバイスは、エネルギー検出に切り替える可能性が最も高くなり得る。
【００８６】
[0122]ＨＴ−ＳＴＦは、実数成分と虚数成分の両方を有する。したがって、本開示のいくつかの態様は、図３ＢのＨＥ−ＳＴＦ３５２の場所にある実数シンボルをもつプリアンブルフォーマットを提供する。本明細書で使用するように、実数シンボルは概して、実数成分のみ（すなわち、虚数成分なし）または虚数シンボルが、受信パケットが８０２．１１ｎパケットと見なされることにつながらないように（実数成分と比較して）十分小さい虚数成分を有するシンボルを指す。ＨＥ−ＳＴＦ３５２の場所にある実数シンボルを使うことにより、８０２．１１ｎデバイスは、受信パケットが８０２．１１ａパケットであると決定し、適切な延滞（deferrals）を保証する。
【００８７】
[0123]いくつかの態様について、実数シンボルは、（トリガメッセージが聞こえなかった）ＯＢＳＳ  ＨＥＷデバイスが機会主義的（opportunistically）に送信をすることを可能にする何らかの情報を運ぶこともできる（たとえば、実数シンボルはＨＥ−ＳＩＧシンボルであってよい）。この情報は、より優れた媒体再利用と延滞とを可能にし得る。例示的な情報は、受信パケットがＵＬパケットであるという指示、基本サービスセット（ＢＳＳ）識別子（ＩＤ）もしくは色、および／またはクリアチャネル評価（ＣＣＡ）関連情報を含み得る。
【００８８】
[0124]トリガメッセージが聞こえないＯＢＳＳ  ＨＥＷデバイスの観点から、これらのデバイスは、受信パケットがＵＬパケットであるかどうかわからない。これらのデバイスが、パケットがＨＥＷパケット１５０であることを検出し、上述した情報（たとえば、ＵＬ／ＤＬ、ＢＳＳ  ＩＤもしくは色、および／またはＣＣＡ関連情報）を取得するためにＬ−ＳＩＧの後の第１のＨＥ−ＳＩＧフィールドを復号することができれば有益であろう。
【００８９】
[0125]ＤＬ用のプリアンブルフォーマット中で、第１のＨＥ−ＳＩＧは遅延拡散保護（delay spread protection）を使って送られ得る。同じ遅延拡散保護の方法が、トリガメッセージが聞こえない（したがって、このパケットがＵＬそれともＤＬであるか意識しない）サードパーティＨＥＷデバイスにおける処理を調和させようとして、ＵＬ  ＭＵ−ＭＩＭＯにおいて第１のＨＥ−ＳＩＧ用に使われ得る。
【００９０】
[0126]いくつかの態様について、共通ＨＥ−ＳＩＧ０が、パケットがＵＬであるかＤＬであるかを見分けるのに利用され得る。ジョイント符号化ＳＩＧ−０およびＳＩＧ−１が、より複雑な分類につながる可能性が最も高くなり得る。
【００９１】
[0127]図３Ｃは、本開示のいくつかの態様による、ＨＥＷにおけるＵＬ  ＭＵ−ＭＩＭＯのための別の例示的な混合モードプリアンブルフォーマット３７０を示す。図３Ｂのプリアンブルフォーマット３５０と比較した、図３Ｃにおける唯一の違いは、図３ＢのＨＥ−ＳＴＦ３５２の代わりにＨＥ−ＳＩＧ０フィールドの２つの実数シンボル３７２、３７４があることである。この場合、ＨＥ−ＳＩＧ０フィールドは遅延拡散保護を有することができ、したがって、図３Ｃに示されるように、２つ以上のＯＦＤＭシンボルを占有し得る。この例では簡易な繰返しが使われるので、実数シンボル３７２は、ＨＥ−ＳＩＧ０フィールド中の実数シンボル３７４のレプリカである。
【００９２】
オプション２：グリーンフィールド（Greenfield）プリアンブルフォーマット
[0128]図４は、本開示のいくつかの態様による、ＨＥＷにおけるＵＬ  ＭＵ−ＭＩＭＯのための例示的なグリーンフィールドプリアンブルフォーマット４００を示す。ＨＥ−ＬＴＦ３１０の数はアップリンクストリームの総数によって決定され、アップリンクストリームの総数は、ダウンリンク（ＤＬ）ＭＵ−ＭＩＭＯと同じであり得る。
【００９３】
[0129]アップリンク送信機会（ＴＸＯＰ）に先立って、ＡＰ１１０は、どのストリームを使うべきかと、最大ＴＸＯＰ持続時間とをクライアントに通知する。クライアントは依然として、変調およびコーディング方式（ＭＣＳ）とパケット長（＜最大ＴＸＯＰ持続時間）とを決定することができる。ストリームの数は上限である。データ中のより少ない数のストリームがクライアントによって送信されてよいが、ＬＴＦの数は、ＡＰ１１０によって決定されるとともにクライアントに送信されたＡＰのメッセージ中で与えられたストリームの総数と同じままであるべきである。いくつかの態様について、クライアントは、未使用ストリーム上でゼロを送信してよい。
【００９４】
[0130]グリーンフィールドプリアンブルフォーマット４００の主な利点は、比較的低いオーバーヘッドである（たとえば、３つのシンボルを節約する）。ただし、グリーンフィールドプリアンブルフォーマット４００は、ＡＰ１１０から隠されたノードからのＤＬ  ＡＣＫは保護しない。
【００９５】
[0131]上述したプリアンブルフォーマットのうちのいずれについても、ＨＥ−ＳＩＧフィールド３１２は、様々な適切なフィールドのうちのいずれを含んでもよい。たとえば、ＨＥ−ＳＩＧフィールド３１２は、ＭＣＳおよび／または（ＡＰのセットアップメッセージ中のストリームの数より少ないストリームの数が許可されるケースにおいて）実際に使われるストリームの数に関する情報を含み得る。ＨＥ−ＳＩＧフィールド３１２は、時空間ブロックコーディング（ＳＴＢＣ）、コーディングレート、巡回冗長検査（ＣＲＣ）、ユーザ別長さ、または末尾部分についての情報も含み得る。ユーザ別長さは、アグリゲートメディアアクセス制御（ＭＡＣ）プロトコルデータユニット（Ａ−ＭＰＤＵ）が強制される場合は含まれなくてよい。
【００９６】
遅延拡散保護
[0132]いくつかの態様によると、延長シンボル持続時間が遅延拡散保護（delay spread protection）のために使われ得る。ＡＰ１１０によって送信されるセットアップメッセージは、メッセージを受信したＳＴＡによって延長シンボル持続時間が使われるべきかどうかを示すことができる。いくつかの態様について、ＳＴＡはこれを決定することを許可されない場合があり、それは、そうすると様々なＳＴＡが異なる決定を行う可能性があるからである。
【００９７】
[0133]ＡＰ１１０が、比較的長いシンボルをもつ送信を要求した場合、混合モードプリアンブルフォーマットに対して、レガシーセクションは通常シンボル持続時間を使い、後続フィールドは（たとえば、増大高速フーリエ変換（ＦＦＴ）サイズにより）比較的長いシンボル持続時間を有する。グリーンフィールドプリアンブルフォーマット４００に対して、プリアンブル部分全体が、ＨＥＷパケットの冒頭から（たとえば、ＨＥ−ＳＴＦ３５２から）、（たとえば、増大したＦＦＴサイズにより）増大したシンボル持続時間を使用する。
【００９８】
[0134]図５は、本開示のいくつかの態様による、パケットを生成するための例示的な動作５００の流れ図である。動作５００は、ＳＴＡなどの装置によって実施され得る。本明細書で使用するように、パケットは、プロトコルデータユニット（たとえば、物理レイヤ収束手順（ＰＬＣＰ）プロトコルデータユニット（ＰＰＤＵ）やメディアアクセス制御（ＭＡＣ）プロトコルデータユニット（ＭＰＤＵ））を指してもよく、「フレーム」という用語と互換的に使われてもよい。
【００９９】
[0135]動作５００は、５０２において、ＳＴＡがパケット（たとえば、ＨＥＷパケット１５０）を生成することから始まり得る。パケットは、ロングトレーニングフィールド（ＬＴＦ）と、ＬＴＦに後続する第１の信号（ＳＩＧ）フィールドと、第１のＳＩＧフィールドの後に位置する１つまたは複数の他のＬＴＦと、少なくとも１つの第２のＳＩＧフィールドとを含むプリアンブル部分を有し得る。第１のＳＩＧフィールド以外の、プリアンブル部分中のすべてのＳＩＧフィールドは、１つまたは複数の他のＬＴＦに後続する。５０４において、ＳＴＡはパケットを（たとえば、アクセスポイント１１０など、別の装置に）送信し得る。
【０１００】
[0136]本明細書で使用する、パケット（またはフレーム）の意味での「後続（subsequent）」という用語は概して、ある特定の順序または位置を有する、パケット内の様々なフィールドを指す。この順序は、左から右に読むと増大するように定義され得る。この意味において、たとえば、上述した第１のＳＩＧフィールドは、ＬＴＦの右に配置され、したがって、ＬＴＦの後に位置する（すなわち、第１のＳＩＧフィールドがＬＴＦに続く）。
【０１０１】
[0137]いくつかの態様によると、少なくとも１つの第２のＳＩＧフィールドは、パケットのデータ部分（たとえば、データ部分３０２）を復号するためのパラメータを与える、プリアンブル部分中の唯一の信号フィールドである。パケットは、アップリンク（ＵＬ）マルチユーザ（ＭＵ）多入力多出力（ＭＩＭＯ）送信として送信され得る。いくつかの態様に対して、少なくとも１つの第２のＳＩＧフィールドは、変調およびコーディング方式（ＭＣＳ）の指示、空間ストリームの数、時空間ブロックコーディング（ＳＴＢＣ）の指示、コーディングレートの指示、巡回冗長検査（ＣＲＣ）、ユーザ別長さ、または末尾部分のうちの少なくとも１つを備える。いくつかの態様について、少なくとも１つの第２のＳＩＧフィールドは、米国電気電子技術者協会（ＩＥＥＥ）８０２．１１高効率ＷＬＡＮ（ワイヤレスローカルエリアネットワーク）（ＨＥＷ）修正またはＩＥＥＥ８０２．１１規格に対する後からの修正による少なくとも１つの高効率信号（ＨＥ−ＳＩＧ）フィールドを備える。いくつかの態様について、１つまたは複数の他のＬＴＦは、ＩＥＥＥ８０２．１１ＨＥＷによる１つまたは複数の高効率ロングトレーニングフィールド（ＨＥ−ＬＴＦ）（たとえば、ＨＥ−ＬＴＦ３１０）を備える。
【０１０２】
[0138]いくつかの態様によると、パケットは、第１のＳＩＧフィールドを含む２つのＳＩＧフィールドのみを含む。いくつかの態様について、２つのＳＩＧフィールドは、２つのシンボルにのみ関連付けられる（たとえば、パケット中の２つのシンボルのみを占有する）。
【０１０３】
[0139]いくつかの態様によると、動作５００は、ＳＴＡが、延長シンボル持続時間の使用を示すメッセージを受信することをさらに含み得る。この場合、パケットを生成することは、ＬＴＦおよび第１のＳＩＧフィールドが１つまたは複数の他のＬＴＦおよび少なくとも１つの第２のＳＩＧフィールドよりも短いシンボル持続時間を有するようにパケットを生成することを伴い得る。
【０１０４】
[0140]いくつかの態様によると、プリアンブル部分は、第１のＳＩＧフィールドに後続するとともに１つまたは複数の他のＬＴＦに先行するショートトレーニングフィールド（ＳＴＦ）も含む。ＳＴＦは、第１のＳＩＧフィールドのものよりも大きい巡回シフトを有し得る。いくつかの態様について、ＳＴＦは、ＩＥＥＥ８０２．１１ＨＥＷ修正またはＩＥＥＥ８０２．１１規格に対する後からの修正による高効率ショートトレーニングフィールド（ＨＥ−ＳＴＦ）（たとえば、ＨＥ−ＳＴＦ３５２）である。
【０１０５】
[0141]いくつかの態様によると、ＬＴＦはレガシーロングトレーニングフィールド（Ｌ−ＬＴＦ）を備え、第１のＳＩＧフィールドは、Ｌ−ＬＴＦ３０６およびＬ−ＳＩＧフィールド３０８など、（たとえば、ＩＥＥＥ８０２．１１規格に対するＩＥＥＥ８０２．１１ａ修正による）レガシー信号（Ｌ−ＳＩＧ）フィールドを備える。いくつかの態様について、ＬＴＦおよび第１のＳＩＧフィールドは第１のタイプのフィールドであり、１つまたは複数の他のＬＴＦおよび少なくとも１つの第２のＳＩＧフィールドは、第１のタイプとは異なる第２のタイプのフィールドである。いくつかの態様について、第１のタイプは第１のワイヤレス通信規格（たとえば、ＩＥＥＥ８０２．１１ａ）に準拠し、第２のタイプは、第１の規格とは異なる第２のワイヤレス通信規格（たとえば、ＩＥＥＥ８０２．１１ＨＥＷ）に準拠する。第２の規格は、第１の規格よりも高いスループットを有し得る。
【０１０６】
[0142]図６は、本開示のいくつかの態様による、１つまたは複数のパケットを処理するための例示的な動作６００の流れ図である。動作６００は、ＡＰ（たとえば、アクセスポイント１１０）などの装置によって実施され得る。
【０１０７】
[0143]動作６００は、６０２において、ＡＰが１つまたは複数のパケット（たとえば、ＨＥＷパケット１５０）を受信することから始まり得る。各パケットは、ＬＴＦと、ＬＴＦに後続する第１のＳＩＧフィールドと、第１のＳＩＧフィールドの後に位置する１つまたは複数の他のＬＴＦと、少なくとも１つの第２のＳＩＧフィールドとを含むプリアンブル部分を有する。第１のＳＩＧフィールド以外の、プリアンブル部分中のすべてのＳＩＧフィールドは、１つまたは複数の他のＬＴＦに後続する。
【０１０８】
[0144]６０４において、ＡＰは、プリアンブル部分に従って１つまたは複数のパケットを処理し得る。いくつかの態様によると、６０４における処理は、１つまたは複数の他のＬＴＦに基づいて１つまたは複数のパケットの各々のためのチャネルを推定すること、推定されたチャネルに基づいて少なくとも１つの第２のＳＩＧフィールドを空間的に取り出すこと、および／または少なくとも１つの第２のＳＩＧフィールド中の情報に基づいて各パケット中のデータ部分を処理することを伴う。
【０１０９】
[0145]いくつかの態様によると、少なくとも１つの第２のＳＩＧフィールドは、各パケットのデータ部分を復号するためのパラメータを与える、プリアンブル部分中の唯一の信号フィールドである。少なくとも１つの第２のＳＩＧフィールドは、変調およびコーディング方式（ＭＣＳ）の指示、空間ストリームの数、時空間ブロックコーディング（ＳＴＢＣ）の指示、コーディングレートの指示、巡回冗長検査（ＣＲＣ）、ユーザ別長さ、または末尾部分のうちの少なくとも１つを含み得る。いくつかの態様について、少なくとも１つの第２のＳＩＧフィールドは、ＩＥＥＥ８０２．１１ＨＥＷ修正またはＩＥＥＥ８０２．１１規格に対する後からの修正による少なくとも１つの高効率信号（ＨＥ−ＳＩＧ）フィールドを備える。
【０１１０】
[0146]いくつかの態様によると、各パケットは、第１のＳＩＧフィールドを含む２つのＳＩＧフィールドのみを含む。いくつかの態様について、２つのＳＩＧフィールドは、２つのシンボルにのみ関連付けられる。
【０１１１】
[0147]いくつかの態様によると、動作６００は、延長シンボル持続時間の使用を示すメッセージを送信することをさらに伴い得る。この場合、ＬＴＦおよび第１のＳＩＧフィールドは、１つまたは複数の受信パケット中の１つまたは複数の他のＬＴＦおよび少なくとも１つの第２のＳＩＧフィールドよりも短いシンボル持続時間を有し得る。
【０１１２】
[0148]いくつかの態様によると、プリアンブル部分は、第１のＳＩＧフィールドに後続するとともに１つまたは複数の他のＬＴＦに先行するショートトレーニングフィールド（ＳＴＦ）をさらに含む。ＳＴＦは、第１のＳＩＧフィールドのものよりも大きい巡回シフトを有し得る。いくつかの態様について、ＳＴＦは、ＩＥＥＥ８０２．１１ＨＥＷ修正またはＩＥＥＥ８０２．１１規格に対する後からの修正による高効率ショートトレーニングフィールド（ＨＥ−ＳＴＦ）である。
【０１１３】
[0149]いくつかの態様について、動作６００は、ＡＰが、装置（たとえば、ＳＴＡ）用に割り振られる空間ストリームの数を示すメッセージを送信することも含み得る。この場合、１つまたは複数のパケットを受信することは、割り振られた空間ストリームの数で示されるよりも少ない空間ストリームにより、装置から１つまたは複数のパケットを受信することを伴う。いくつかの態様について、各パケットは、１つまたは複数の空間ストリームおよび異なる装置のセットに関連付けられる。少なくとも１つの第２のＳＩＧフィールドの内容は、複数の空間ストリームにより同じ装置から受信される各パケットについて同じである。
【０１１４】
[0150]図７は、本開示のいくつかの態様による、パケットを生成するための例示的な動作７００の流れ図である。動作７００は、ＳＴＡなどの装置によって実施され得る。
【０１１５】
[0151]動作７００は、７０２において、ＳＴＡが１つまたは複数のパケット（たとえば、ＨＥＷパケット１５０）を生成することから始まり得る。各パケットは、１つまたは複数の高効率ロングトレーニングフィールド（ＨＥ−ＬＴＦ）と、ＨＥ−ＬＴＦの後に位置する高効率信号（ＨＥ−ＳＩＧ）フィールドとを含むプリアンブル部分を有する。いくつかの態様について、プリアンブル部分は、１つまたは複数のＨＥ−ＬＴＦに先行する高効率ショートトレーニングフィールド（ＨＥ−ＳＴＦ）をさらに含む。７０４において、ＳＴＡは１つまたは複数のパケットを送信し得る。いくつかの態様について、各パケットはＵＬ  ＭＵ−ＭＩＭＯ送信として送信される。
【０１１６】
[0152]いくつかの態様によると、ＨＥ−ＳＩＧフィールドは、各パケット中のロングトレーニングフィールドすべての後に位置する。ＨＥ−ＳＩＧフィールドは、各パケットのデータ部分を復号するためのパラメータを与える、プリアンブル部分中の唯一の信号フィールドでもあり得る。いくつかの態様について、ＨＥ−ＳＩＧフィールドまたは１つもしくは複数のＨＥ−ＬＴＦのうちの少なくとも１つが、ＩＥＥＥ８０２．１１ＨＥＷ修正またはＩＥＥＥ８０２．１１規格に対する後からの修正に準拠する。
【０１１７】
[0153]いくつかの態様によると、プリアンブル部分は、１つまたは複数のＨＥ−ＬＴＦに先行するレガシーセクションをさらに備える。レガシーセクションは、レガシーショートトレーニングフィールド（Ｌ−ＳＴＦ）と、Ｌ−ＳＴＦに後続するレガシーロングトレーニングフィールド（Ｌ−ＬＴＦ）と、Ｌ−ＬＴＦに後続するレガシー信号（Ｌ−ＳＩＧ）フィールドとを含み得る。各パケットは、２つのＳＩＧフィールドのみ、すなわちＬ−ＳＩＧフィールドとＨＥ−ＳＩＧフィールドとを含み得る。いくつかの態様について、これらの２つのＳＩＧフィールドは、２つのシンボルにのみ関連付けられる。いくつかの態様について、動作７００は、ＳＴＡが、延長シンボル持続時間の使用を示すメッセージを受信することをさらに含み得る。この場合、７０２における生成することは、Ｌ−ＬＴＦおよびＬ−ＳＩＧフィールドが、１つまたは複数のＨＥ−ＬＴＦおよびＨＥ−ＳＩＧフィールドよりも短いシンボル持続時間を有するように１つまたは複数のパケットを生成することを伴い得る。いくつかの態様について、プリアンブル部分は、１つまたは複数のＨＥ−ＬＴＦに先行する高効率ショートトレーニングフィールド（ＨＥ−ＳＴＦ）も含む。ＨＥ−ＳＴＦは、Ｌ−ＳＩＧフィールドのものよりも大きい巡回シフトを有し得る。
【０１１８】
[0154]いくつかの態様によると、プリアンブル部分は、Ｌ−ＳＩＧフィールドと１つまたは複数のＨＥ−ＬＴＦとの間に１つまたは複数の実数シンボルをさらに含む。本明細書で使用するように、各実数シンボルは、実数成分のみを有し、虚数成分はもたない（または少なくとも、このシンボルが、パケットが受信されたときに８０２．１１ｎパケットと見なされることにつながることがないように、実数成分と比較して、実質的な虚数成分はもたない）。いくつかの態様について、１つまたは複数の実数シンボルは、別のＨＥ−ＳＩＧフィールドの一部である。この場合、別のＨＥ−ＳＩＧフィールドは、アップリンク（ＵＬ）パケットであるパケット、基本サービスセット（ＢＳＳ）、またはクリアチャネル評価（ＣＣＡ）のうちの少なくとも１つに関する情報を含み得る。別のＨＥ−ＳＩＧフィールドは、遅延拡散保護を有することができ、したがって、２つ以上の実数シンボルからなり得る。いくつかの態様について、別のＨＥ−ＳＩＧフィールド中の２つ以上の実数シンボルは、互いのレプリカである（たとえば、図３Ｃに示されるような多シンボルＨＥ−ＳＩＧ０フィールド）。いくつかの態様について、各パケットは、３つのＳＩＧフィールドのみ、すなわちＬ−ＳＩＧフィールドと、ＨＥ−ＳＩＧフィールドと、別のＨＥ−ＳＩＧフィールドとを含む。これらの３つのＳＩＧフィールドは、４つのシンボルにのみ関連付けられ得る。
【０１１９】
[0155]いくつかの態様によると、各パケットは、１つまたは複数の空間ストリームのセットに関連付けられる。いくつかの態様について、動作７００は、ＳＴＡが、割り振られた空間ストリームの数を示すメッセージを受信することをさらに伴う。この場合、１つまたは複数のパケットを送信することは、割り振られた空間ストリームの数で示されるよりも少ない空間ストリームを使って１つまたは複数のパケットを送信することを必要とし得る。いくつかの態様について、プリアンブル部分中のＨＥ−ＬＴＦの数は、より少ない空間ストリームを使用することにもかかわらず（すなわち、割り振られた数の空間ストリームが使用されるかそれともより少ない数の空間ストリームが使用されるかにかかわらず）、各ユーザについての割り振られた空間ストリームの数の和に基づく。
【０１２０】
[0156]いくつかの態様によると、ＨＥ−ＳＩＧフィールドは、変調およびコーディング方式（ＭＣＳ）の指示、空間ストリームの数、時空間ブロックコーディング（ＳＴＢＣ）の指示、コーディングレートの指示、巡回冗長検査（ＣＲＣ）、ユーザ別長さ、または末尾部分のうちの少なくとも１つを備える。いくつかの態様について、どのＨＥ−ＳＩＧフィールドも、プリアンブル部分中の１つまたは複数のＨＥ−ＬＴＦに先行しない。
【０１２１】
[0157]図８は、本開示のいくつかの態様による、１つまたは複数のパケットを処理するための例示的な動作８００の流れ図である。動作８００は、ＡＰ１１０などの装置によって実施され得る。
【０１２２】
[0158]動作８００は、８０２において、ＡＰが１つまたは複数のパケット（たとえば、ＨＥＷパケット１５０）を受信することから始まり得る。各パケットは、１つまたは複数の高効率ロングトレーニングフィールド（ＨＥ−ＬＴＦ）と、ＨＥ−ＬＴＦの後に位置する高効率信号（ＨＥ−ＳＩＧ）フィールドとを概して含むプリアンブル部分を有する。いくつかの態様について、プリアンブル部分は、１つまたは複数のＨＥ−ＬＴＦに先行する高効率ショートトレーニングフィールド（ＨＥ−ＳＴＦ）をさらに含む。
【０１２３】
[0159]８０４において、ＡＰは、プリアンブル部分に従って１つまたは複数のパケットを処理し得る。いくつかの態様について、この処理は、１つもしくは複数のＨＥ−ＬＴＦに基づいて１つもしくは複数のパケットの各々のためのチャネルを推定すること、推定されたチャネルに基づいてＨＥ−ＳＩＧフィールドを空間的に取り出すこと、および／またはＨＥ−ＳＩＧフィールド中の情報に基づいて各パケット中のデータ部分を処理することを含み得る。
【０１２４】
[0160]いくつかの態様によると、ＨＥ−ＳＩＧフィールドは、各パケット中のロングトレーニングフィールドすべての後に位置する。ＨＥ−ＳＩＧフィールドは、各パケットのデータ部分を復号するためのパラメータを与える、プリアンブル部分中の唯一の信号フィールドであり得る。いくつかの態様について、ＨＥ−ＳＩＧフィールドまたは１つもしくは複数のＨＥ−ＬＴＦのうちの少なくとも１つが、ＩＥＥＥ８０２．１１ＨＥＷ修正またはＩＥＥＥ８０２．１１規格に対する後からの修正に準拠する。
【０１２５】
[0161]いくつかの態様によると、プリアンブル部分は、１つまたは複数のＨＥ−ＬＴＦに先行するレガシーセクションをさらに備える。レガシーセクションは、レガシーショートトレーニングフィールド（Ｌ−ＳＴＦ）と、Ｌ−ＳＴＦに後続するレガシーロングトレーニングフィールド（Ｌ−ＬＴＦ）と、Ｌ−ＬＴＦに後続するレガシー信号（Ｌ−ＳＩＧ）フィールドとを含み得る。いくつかの態様について、１つまたは複数のパケットの各々は、２つのＳＩＧフィールドのみ、すなわちＬ−ＳＩＧフィールドとＨＥ−ＳＩＧフィールドとを有する。これらの２つのＳＩＧフィールドは、２つのシンボルにのみ関連付けられ得る。いくつかの態様について、動作８００は、ＡＰが、Ｌ−ＬＴＦおよびＬ−ＳＩＧフィールドが１つまたは複数の受信パケット中の１つまたは複数のＨＥ−ＬＴＦおよびＨＥ−ＳＩＧフィールドよりも短いシンボル持続時間を有するように、延長シンボル持続時間の使用を示すメッセージを送信することをさらに含み得る。いくつかの態様について、プリアンブル部分は、１つまたは複数のＨＥ−ＬＴＦに先行するＨＥ−ＳＴＦも含む。この場合、ＨＥ−ＳＴＦは、Ｌ−ＳＩＧフィールドのものよりも大きい巡回シフトを有し得る。
【０１２６】
[0162]いくつかの態様によると、プリアンブル部分は、Ｌ−ＳＩＧフィールドと１つまたは複数のＨＥ−ＬＴＦとの間に１つまたは複数の実数シンボルをさらに含む。本明細書で使用するように、各実数シンボルは、実数成分のみを有し、虚数成分はもたない（または少なくとも、このシンボルが、受信パケットが８０２．１１ｎパケットと見なされることにつながることがないように、実数成分と比較して、有意な虚数成分はもたない）。いくつかの態様について、１つまたは複数の実数シンボルは、別のＨＥ−ＳＩＧフィールドの一部である。この場合、別のＨＥ−ＳＩＧフィールドは、アップリンク（ＵＬ）パケットであるパケット、基本サービスセット（ＢＳＳ）、またはクリアチャネル評価（ＣＣＡ）のうちの少なくとも１つに関する情報を含み得る。別のＨＥ−ＳＩＧフィールドは、遅延拡散保護を有することができ、したがって、２つ以上の実数シンボルからなり得る。いくつかの態様について、別のＨＥ−ＳＩＧフィールド中の２つ以上の実数シンボルは、互いのレプリカである。いくつかの態様について、各パケットは、３つのＳＩＧフィールドのみ、すなわちＬ−ＳＩＧフィールドと、ＨＥ−ＳＩＧフィールドと、別のＨＥ−ＳＩＧフィールドとを含む。これらの３つのＳＩＧフィールドは、４つのシンボルにのみ関連付けられ得る。
【０１２７】
[0163]いくつかの態様によると、各パケットは、１つまたは複数の空間ストリームおよび異なる装置のセットに関連付けられる。いくつかの態様について、動作８００は、ＡＰが、装置（たとえば、ＳＴＡ）用に割り振られる空間ストリームの数を示すメッセージを送信することをさらに伴い得る。この場合、８０２において１つまたは複数のパケットを受信することは、割り振られた空間ストリームの数で示されるよりも少ない空間ストリームにより、装置から１つまたは複数のパケットを受信することを必要とする。いくつかの態様について、プリアンブル部分中のＨＥ−ＬＴＦの数は、装置によって使われるより少ない空間ストリームにかかわらず、各ユーザ用の割り振られた空間ストリームの数の和に基づく。
【０１２８】
[0164]いくつかの態様によると、ＨＥ−ＳＩＧフィールドは、変調およびコーディング方式（ＭＣＳ）の指示、空間ストリームの数、時空間ブロックコーディング（ＳＴＢＣ）の指示、コーディングレートの指示、巡回冗長検査（ＣＲＣ）、ユーザ別長さ、または末尾部分のうちの少なくとも１つを備える。いくつかの態様について、どのＨＥ−ＳＩＧフィールドも、プリアンブル部分中の１つまたは複数のＨＥ−ＬＴＦに先行しない。いくつかの態様について、ＨＥ−ＳＩＧフィールドは、ＨＥ−ＳＩＧフィールドの内容が、同じ装置から受信された異なるパケットに対して同じであるようなユーザ別フィールドである。
【０１２９】
例示的なパイロット設計
データシンボル中のパイロット
[0165]ＵＬ  ＭＵ−ＭＩＭＯにおいて、ＡＰ１１０は、データ部分（たとえば、データ部分３０２）中にユーザ別位相／周波数オフセットを追跡することができる。この場合、ＭＩＭＯパイロットがＵＬ  ＭＵ−ＭＩＭＯにおいて使われ得る。
【０１３０】
[0166]いくつかの態様について、ＡＰ１１０は、各データシンボル中のユーザ別位相オフセットを追跡するのに、最小平均２乗誤差（ＭＭＳＥ）フィルタを使うことができる。
【数１】
2016530776.tif 000003
ここで、Ｎは、ＵＬ送信におけるユーザの数であり、Ｋ ＝ Num_pilots ＊ Nrxである。ＡＰは、位相オフセットを推定するのにＮ次元逆数を使うことができること、および送信パイロット値は上のＨ行列の中に吸収されていることに留意されたい。空間フィルタリングの後、ユーザ別ドメインにおいて補正が実施され得る。
【０１３１】
ＨＥＷ−ＬＴＦ中のパイロット
[0167]トーンインターリーブＬＴＦ（tone-interleaved LTFs）がＵＬ  ＭＵ−ＭＩＭＯにおいて使われる場合、各サブキャリアは、ただ１人のユーザからのＬＴＦサンプルを搬送する。したがって、パイロットは、ＬＴＦシンボル中に含まれる必要はない。言い換えると、チャネル推定値には、Ｐ行列ベースＬＴＦでのようなクロスストリーム漏れがない（ＩＥＥＥ８０２．１１ａｃでは、たとえば、ＬＴＦ中のパイロットがその問題を解決する）。
【０１３２】
[0168]図９は、本開示のいくつかの態様による、複数のパイロット信号に基づいて位相オフセットを決定するための例示的な動作９００の流れ図である。動作９００は、ＡＰ１１０などの装置によって実施され得る。
【０１３３】
[0169]動作９００は、９０２において、ＡＰが１つまたは複数の装置から１つまたは複数のパケット（たとえば、ＨＥＷパケット１５０）を受信することから始まり得る。各パケットはプリアンブル部分とデータ部分（たとえば、データ部分３０２）を含み、データ部分は複数のパイロット信号を含む。いくつかの態様について、１つまたは複数のパケットは１つまたは複数のＵＬ  ＭＵ−ＭＩＭＯパケットを備える。いくつかの態様について、プリアンブル部分は１つまたは複数のロングトレーニングフィールド（ＬＴＦ）（たとえば、Ｌ−ＬＴＦ３０６および／またはＨＥ−ＬＴＦ３１０）を含み、ここで１つまたは複数のＬＴＦはパイロット信号を含まない。
【０１３４】
[0170]９０４において、ＡＰは、複数のパイロット信号に基づいて、装置のうちの少なくとも１つについてのデータ部分中の少なくとも１つのシンボルについての位相オフセットを決定することができる。いくつかの態様について、９０４において位相オフセットを決定することは、空間フィルタリングを使うことを伴う。空間フィルタリングは、たとえば最小平均２乗誤差（ＭＭＳＥ）フィルタリングを含み得る。いくつかの態様によると、位相オフセットを決定することは、式
【数２】
2016530776.tif 000004
に基づくＮ次元逆数を使うことを伴い、ここでＮは、１つまたは複数の装置の数であり、Ｋは、パイロット信号の数に受信アンテナの数を乗算したものに等しく、Ｈはチャネル行列であり、φは位相オフセットであり、ｗはノイズを表す。
【０１３５】
[0171]いくつかの態様によると、動作９００は、ＡＰが、少なくとも１つのシンボルについての決定された位相オフセットに基づいて、装置のうちの少なくとも１つについてのデータ部分中の少なくとも１つのシンボルを補償することをさらに伴い得る。
【０１３６】
ＬＴＦにおける残留周波数誤差の解決
[0172]ＳＴＡは、時間領域中の位相ランプを適用することによって、ＳＴＡによる（たとえば、ＨＥＷパケット１５０の）ＵＬ送信に対して補正を実施することができる。ただし、依然としてある程度の残留周波数誤差があり得る。
【０１３７】
[0173]チャネルトレーニング中のこの残留周波数誤差には、（１）キャリア間干渉（ＩＣＩ）および（２）ＬＴＦにおけるウォルシュ符号化（Ｐ行列）の直交性の喪失という効果がある。ＩＣＩは、周波数誤差がサブキャリア離間の１％より小さい限り、軽微な効果である。ＬＴＦに対するウォルシュ符号化（Ｐ行列）の直交性の喪失は、トレーニング期間が長くなる程大きくなる大幅な効果である。現時点で、ウォルシュ符号化チャネルトレーニングから異なる周波数オフセットを推定し補正するための容易なやり方はない。
【０１３８】
[0174]本開示のいくつかの態様は、この残留周波数オフセット問題を解決するための少なくとも３つの異なるやり方、すなわち（１）２つの離間したシンボルを使うことと、（２）トーンインターリーブＬＴＦを使うことと、（３）サブバンドベースＬＴＦを使うこととを提供する。
【０１３９】
[0175]第１の解決策について、ＳＴＡによって実施される周波数推定は、推定を実施するのに、（ＬＴＦにおける従来の精密周波数推定において使われる１つのＯＦＤＭシンボルギャップ（たとえば、ガードインターバル）よりも）時間的に離れた（既知のデータをもつ）２つのシンボルを使うことによって、より正確にされる。より大きい時間距離は、より高い解像度を提供する。いくつかの態様について、ＳＴＡは、ＤＬパケット中のＬＴＦと、「パイロットとしての正しく復号されたＳＩＧ」または切替え可（ＣＴＸ）の最後に挿入された別のＬＴＦとを使うことができる。ＡＰにおける特定の処理を回避するための（ＡＰに対する）所望のＳＴＡ周波数オフセット精度は、４つのＶＨＴ−ＬＴＦについては６００Ｈｚ、または８つのＶＨＴ−ＬＴＦについては２５０ＨｚのＲＭＳ誤差である。
【０１４０】
[0176]残留周波数オフセット問題に対する第２の解決策は、ＳＴＡに、周波数オフセットを従来の周波数補正アルゴリズムで補正させるが、ＡＰに、トーンインターリーブＬＴＦによりさらなる補正を可能にすることを伴う。トーンインターリーブＬＴＦについて、空間ストリームｉはトーン（ｉ＋ｋＮss）％Ｎを送信することができ、ここでＮはトーンの総数であり、ｋ＝｛０，１，．．Ｎ／Ｎss｝である。ＳＴＡは、Ｎss＋１個のＶＨＴ−ＬＴＦ（またはＨＥ−ＬＴＦ）シンボルを送信することができ、ここで最後のシンボルは最初のシンボルのコピーである。次いで、ＡＰは、最初と最後のＶＨＴ−ＬＴＦ（またはＨＥ−ＬＴＦ）シンボルの間のＮss個のトーンサブセットについての位相差を、すべてのＶＨＴ−ＬＴＦ（またはＨＥ−ＬＴＦ）シンボルにわたる周波数ドリフトを推定し補正するのに使うことができる。図１０〜図１３において、たとえば、最後のＬＴＦシンボル中の内容は、各トーン（または図１３のように各サブバンド）における最初のＬＴＦシンボル中の内容のコピーであり、したがって、最初と最後のＬＴＦシンボルの両方が、この複製を示すように「ＬＴＦ１」と標示される。
【０１４１】
[0177]図１０は、合計で４つの空間ストリームがあるトーンインターリーブＬＴＦの例を示す。ここで、２つの連続するＬＴＦの間の各空間ストリームについてのトーンシフトは＋１である。この＋１トーンシフトの例として、空間ストリーム１は、ＬＴＦ１におけるトーン１からＬＴＦ２におけるトーン２にシフトする（＋１のトーン差）。同様に、空間ストリーム４はＬＴＦ２におけるトーン１からＬＴＦ３におけるトーン２にシフトし、空間ストリーム２はＬＴＦ１におけるトーン２からＬＴＦ２におけるトーン３にシフトする（任意の２つの連続するＬＴＦの間の、＋１であるすべてのトーン差）。空間ストリームは周波数において互いの上に乗らない（do not step on each other）ので、クロスストリーム漏れは数ｋＨｚのオフセットに関して問題ではない。また、ストリームごとの周波数オフセットは、図示されるように、最後にＬＴＦ１を繰り返すことによって推定され得る。
【０１４２】
[0178]この場合、（上で列挙されたものと比較して）より精密な式が代わりに使われ得る。空間ストリームｉは、ＬＴＦ  ｊ中に、以下の公式によって与えられるトーンインデックス上で送信をし、ここでＮはトーン（ガードとＤＣとを除く）の総数であり、ｊ＝｛１，２，．．．．Ｎss｝であり、ｋ＝｛０，１，．．ｆｌｏｏｒ（Ｎ／Ｎss）｝であり、Ｎssはストリームの総数である。
【数３】
2016530776.tif 000005
式の前者のバージョンは、最初のＬＴＦシンボル中のみのストリームのインデックスの場所を記述していた。後者の式におけるＬＴＦインデックスｊの追加は、たとえば、あるＬＴＦシンボルから次のものへの、図１０において見られる動きを記述する。Ｎ／Ｎssが整数でないケースでは、ｊは範囲｛１，２，．．．．，Ｎss＋１｝に及び得る。
【０１４３】
[0179]いくつかの態様について、あるＬＴＦシンボルから次のものへの、空間ストリームのトーンインデックスにおけるシフトは、図１０に示されるものとは異なるやり方で起こり得る。言い換えると、２つの連続するＬＴＦ上のあるストリームのインデックスの間のトーンシフトが＋１でない場合がある。図１１は、本開示のいくつかの態様による、２つの連続するＬＴＦの間のトーンシフトが＋１以外である、４つの空間ストリーム用のトーンインターリーブＬＴＦの例を示す。図１１において、各空間ストリームについて、ＬＴＦ１とＬＴＦ２との間のトーンシフトは＋２であり、ＬＴＦ２とＬＴＦ３との間のトーンシフトは−１であり、ＬＴＦ３とＬＴＦ４との間のトーンシフトは＋２である。
【０１４４】
[0180]また、各ストリームに対して２または４トーンのシフトがあるケースにおけるサブオプションとして、各ストリームに対してトーンの半分または４分の１をカバーするだけで、ＬＴＦオーバーヘッドの削減が達成され得る。これは、チャネルは、総トーンのサブサンプリングされたセットに対して利用可能であり得るにすぎないので、補間（interpolation）を実施することを含意し得る。図１２は、本開示のいくつかの態様による、各空間ストリームがトーンの半分のみをカバーする４つの空間ストリーム用のトーンインターリーブＬＴＦの例を示す。図１２において、各空間ストリームについて、トーンシフトはＬＴＦ１とＬＴＦ２との間で＋２である。
【０１４５】
[0181]いくつかの態様によると、ＬＴＦは、いくつかのサブキャリアについてサブバンド割振り（サブバンドインターリーブを含み得る）を使って送られ得る。たとえば、１つのサブバンド（トーンがサブキャリアとも呼ばれる、ある範囲のトーン）があらゆるＬＴＦシンボルにおいて１つの空間ストリーム用に使われてよく、所与の空間ストリーム用のサブバンド割振りは、あるＬＴＦシンボルから次のものへシフトする。サブバンド割振りのためのサブキャリアの数（Ｎsc）は、すべての利用可能サブキャリアまたはそれらのサブセットを表し得る。いくつかの態様について、複数のサブバンドが、あらゆるＬＴＦシンボル中の所与の空間ストリーム用に使われ得る。所与の空間ストリームについて、連続するＬＴＦシンボルの間のサブバンドのシフトは、トーンシフトについて上述したように（たとえば、サブバンドシフトが正または負であり得る、連続するＬＴＦの間の同じまたは異なるサブバンドシフトを用いて）起こり得る。
【０１４６】
[0182]図１３は、本開示のいくつかの態様による、４つの空間ストリーム用のサブバンドベースＬＴＦの例を示す。ＬＴＦ１において、サブバンド１が空間ストリーム１に割り振られ、サブバンド２が空間ストリーム２に割り振られ、サブバンド３が空間ストリーム３に割り振られ、サブバンド４が空間ストリーム４に割り振られる。各空間ストリームに関する図１３では、ＬＴＦ２において、サブバンド１が空間ストリーム２に割り振られ、サブバンド２が空間ストリーム３に割り振られ、サブバンド３が空間ストリーム４に割り振られ、サブバンド４が空間ストリーム１に割り振られるように、ＬＴＦ１とＬＴＦ２との間のサブバンドシフトは−１である。
【０１４７】
[0183]図１４のグラフ１４００に示されるように、上述したトーンインターリーブＬＴＦの設計に関する問題があり得る。すなわち、ＬＴＦセクション中の周波数オフセットに起因する位相ロールは、シンボルにわたって非線形であり得る。これは、整定誤差（settling error）におけるジッタに起因し得る。したがって、最初のＬＴＦの直接的繰返しであるＬＴＦシンボルは、ユーザ別、ＬＴＦ別位相を推定するのに十分でない場合がある。最初のＬＴＦのコピーであるＬＴＦに基づいて位相オフセットを補正することは、チャネル推定値におけるトーンセット依存残留位相誤差につながり得る。これらのトーンセット依存誤差は、ユーザごとに（すべてのトーンにわたって）共通位相誤差を追跡する、（データセクション中の）位相追跡ループによって補正されない場合がある。
【０１４８】
[0184]したがって、本開示のいくつかの態様は、ユーザ別、ＬＴＦ別位相追跡を可能にするための手法を提供する。図１５は、本開示のいくつかの態様による、ユーザ別、ＬＴＦ別位相追跡を用いた、トーンインターリーブＬＴＦを示す。この手法は、（たとえば、図１０および図１１に関して）上述したトーンインターリーブＬＴＦと基本的に同じである。ただし、最後のＬＴＦ（図１５のＬＴＦ５）は、（前のようにＬＴＦ１を繰り返すのではなく）最初の４つのＬＴＦの混合物である。このようにして、図１４に示されるＬＴＦ別にオフセットされる位相の問題（phase offset per-LTF problem）を解決するために、ユーザ別、ＬＴＦ別位相追跡が可能にされる。
【０１４９】
[0185]ＬＴＦ１は、上述したように、トーンインターリーブ式手法（たとえば、図１０）およびサブバンドベースの手法（たとえば、図１３）の最後で繰り返され得ることに留意されたい。いくつかの態様によると、代替的な発想は、最後に余剰ＬＴＦ中で繰り返すのではなく、位相追跡を可能にするように、繰返しをＬＴＦセクション全体に分散させることを伴う。たとえば、ＬＴＦ２はＬＴＦ１に等しいいくつかのトーンを有してよく、ＬＴＦ３は、ＬＴＦ２に等しいいくつかの（他の）トーンを有してよく、ＬＴＦ４は、ＬＴＦ３に等しいいくつかの（他の）トーンを有してよく、ＬＴＦ５は、ＬＴＦ４に等しいいくつかの（他の）トーンを有してよく、ＬＴＦ１は、ＬＴＦ５に等しいいくつかの（他の）トーンを有してよい。
【０１５０】
ハイブリッドＬＴＦ手法
[0186]上述したように、ＵＬ  ＭＵ−ＭＩＭＯ  ＬＴＦは通常、すべての空間ストリーム上の帯域幅全体についてのチャネル知識を必要とする。空間ストリームがトーン（すなわち、サブキャリア）すべてを訪ねるようにされ得る２つの基本的やり方は、トーンインターリーブＬＴＦ（ストリームは、たとえば図１０のように、トーンのインターリーブされたサブセットに割り当てられる）と、サブバンドベースＬＴＦ（ストリームは、たとえば図１３のように、トーンの連続サブセットに割り当てられる）とを含む。ＳＴＡは、位相オフセットを追跡するために各ＬＴＦ上で（ストリームごとに）チャネルを補間することができるので、最後での最初のＬＴＦ１の繰返しは、トーンインターリーブＬＴＦに含まれる必要はないことに留意されたい。
【０１５１】
[0187]ＬＴＦ設計のためのサブバンドベースの手法とトーンインターリーブ式手法を、たとえば、他のＳＴＡからの漏れ、位相オフセットを取得するためのチャネル補間の可能性、電力スペクトル密度（ＰＳＤ）、ＯＦＤＭＡ統一、および他の無線アクセス技術（ＲＡＴ）との共存に関して比較され得る。エッジトーンのみが別のＳＴＡに起因する漏れを被り得るので、サブバンドベースの手法は、より少ない漏れを有し得る。漏れ問題は、トーンインターリーブ式手法では、すべてのトーンにおいて同じように有害（bad）であり得る。位相オフセットを取得するためにチャネル補間を実施することは、サブバンドベースの手法では可能でない場合があるが、トーンインターリーブ式手法における４ｘシンボル持続時間ではうまくいく。サブバンドベースの手法は、周波数選択的スケジューリング利得を失うトーンインターリーブ式手法よりもサブバンドベースのＯＦＤＭＡとの互換性がある。ただし、サブバンドベースの手法は、十分なダイバーシティを達成することがより容易であるトーンインターリーブ式手法よりもトーンインターリーブされたＯＦＤＭＡとは互換性がない。対照的に、サブバンドベースの手法は、ダイバーシティ（インターリーブ式と比較して、ランダムなサブバンド）を失う場合がある。サブバンドベースの手法を用いると、他の技術は、ワイヤレス媒体をよりとらえやすくなり得る。対照的に、帯域全体がトーンインターリーブ式手法で占められるので、媒体はより明らかになると予想される。
【０１５２】
[0188]上記比較に基づき、両方のＬＴＦ設計手法がいくつかの利点を有すると思われる。したがって、２つの手法の特徴を、ＬＴＦ設計のためのハイブリッド手法において組み合わせることが望ましい場合がある。
【０１５３】
[0189]図１６は、本開示のいくつかの態様による、サブバンドベース手法とトーンインターリーブ式手法とを混合する、４つの空間ストリーム用のＬＴＦ設計のための例示的なハイブリッド手法を示す。図１６において、いくつか（Ｎsc個）のサブキャリアは、２つのサブバンド、すなわちサブバンド１およびサブバンド２に分割されている。ＬＴＦ１について、空間ストリーム１および２はサブバンド１内でトーンインターリーブされ、空間ストリーム３および４はサブバンド２内でトーンインターリーブされる。したがって、空間ストリーム１はサブバンド１中の奇数トーンに関連付けられてよく、空間ストリーム２はサブバンド１中の偶数トーンに関連付けられてよく、または逆も同様である。ＬＴＦ２に対して、空間ストリーム３および４はサブバンド内１でトーンインターリーブされ、空間ストリーム１および２はサブバンド２内でトーンインターリーブされる。ＬＴＦ３に対して、空間ストリーム２および１はサブバンド１内でトーンインターリーブされ、空間ストリーム４および３はサブバンド２内でトーンインターリーブされる。したがって、空間ストリーム２はサブバンド１中の奇数トーンに関連付けられてよく、空間ストリーム１は、ＬＴＦ１中のトーンインターリーブとは異なるサブバンド１中の偶数トーンに関連付けられてよい（または逆も同様である）。ＬＴＦ４に対して、空間ストリーム４および３はサブバンド１内でトーンインターリーブされ、空間ストリーム２および１はサブバンド２内でトーンインターリーブされる。
【０１５４】
[0190]このハイブリッド手法は、より大きい数のサブバンドに拡張されてよい。たとえば、４つのサブバンドが使われてよく、ここで、図１６に提示される手法が、４つの空間ストリームのケースについて、サブバンド３および４に対して繰り返される。他の態様について、８つの空間ストリームが使われてよい。この場合、ＬＴＦ１に対して、たとえば、空間ストリーム５および６がサブバンド３内でトーンインターリーブされてよく、空間ストリーム７および８がサブバンド４内でトーンインターリーブされてよい。図１６に示すものと同様のパターンが、空間ストリーム５、６、７、および８（ストリーム１、２、３、および４と置き換わる）のためのサブバンド３および４中のＬＴＦ全体を通して運ばれ得る。
【０１５５】
[0191]さらに、２つより多い空間ストリームが、各サブバンド用のＬＴＦ中でトーンインターリーブされ得る。たとえば、４つの空間ストリームが、サブバンド１用のＬＴＦ１中でトーンインターリーブされ得る。
【０１５６】
[0192]このハイブリッド手法はいくつかの利点をもたらし、それらは、トーンインターリーブ式手法およびサブバンドベースの手法のうちの最良のものを表す。たとえば、位相追跡のための補間が可能である。実際、多数のストリームについて、ハイブリッド手法は、遠く離れているトーン（たとえば、最大８トーン離れている）に基づいて補間が起こるトーンインターリーブＬＴＦよりも良好に機能すると予想される。さらに、ハイブリッド手法がＯＦＤＭＡと統合された場合、何らかの周波数選択的スケジューリングも可能である。ハイブリッド手法における電力密度は、図１３のサブバンドベースの手法ほど悪くない。ハイブリッド手法は、サブバンドベースの設計よりも優れた（他のＲＡＴからの）送信保護を提供する。さらに、同様の電力レベルをもつユーザが一緒にスケジュールされる場合、漏れ問題は、トーンインターリーブ式手法ほど悪くない。ただし、ハイブリッド手法の１つの欠点は、奇数個のストリームに関して、ハイブリッド手法は、最初のものを繰り返さないトーンインターリーブ式ＬＴＦ手法（tone-interleaved-without-repeating-the-first-LTF approach）よりも１つ多いＬＴＦを伴うことである。
【０１５７】
[0193]図１７は、本開示のいくつかの態様による、周波数オフセットを決定するための例示的な動作１７００の流れ図である。動作１７００は、ＳＴＡなどの装置によって実施され得る。
【０１５８】
[0194]動作１７００は、１７０２において、ＳＴＡがプリアンブル部分を有するパケットを受信することから始まり得る。１７０４において、ＳＴＡは、既知のデータを有するプリアンブル部分中の２つのシンボルに基づいて周波数オフセットを決定することができる。２つのシンボルは、連続するシンボルの間のガードインターバル（たとえば、８００ｎｓ）よりも離間されている。
【０１５９】
[0195]いくつかの態様について、２つのシンボルは、ＬＴＦに、およびＳＩＧフィールドに関連付けられる。他の態様について、２つのシンボルは、連続しないＬＴＦに関連付けられる。
【０１６０】
[0196]いくつかの態様によると、動作１７００は、ＳＴＡが、周波数オフセットに基づいて別のパケットを送信することをさらに含み得る。いくつかの態様について、別のパケットはＵＬ  ＭＵ−ＭＩＭＯパケットである。
【０１６１】
[0197]図１８は、本開示のいくつかの態様による、トーンインターリーブＬＴＦに基づいて周波数オフセット調節を実施するための例示的な動作１８００の流れ図である。動作１８００は、ＡＰ１１０などの装置によって実施され得る。
【０１６２】
[0198]動作１８００は、１８０２において、ＡＰが、別の装置（たとえば、ＳＴＡ）から、トーンインターリーブされたロングトレーニングフィールド（ＬＴＦ）を備えるプリアンブル部分を有するパケット（たとえば、図１および図２に示すようなＨＥＷパケット１５０）を受信することから始まり得る。各トーンインターリーブＬＴＦ中で、第１の空間ストリームは（送信帯域幅中の）トーンの第１のサブセットに関連付けられ、第２の空間ストリームは、トーンの第１のサブセットとインターリーブされたトーンの第２のサブセットに関連付けられる。１８０４において、ＡＰは、トーンインターリーブＬＴＦに基づいて、パケットに対して周波数オフセット調節を実施することができる。
【０１６３】
[0199]いくつかの態様によると、ＬＴＦの数は、別の装置によって送信される空間ストリームの数よりも１大きい。いくつかの態様について、トーンインターリーブＬＴＦのうちの最後のものは、トーンインターリーブＬＴＦのうちの最初のもののコピーである。いくつかの態様について、１８０４において周波数オフセット調節を実施することは、周波数オフセットを決定するのに、トーンインターリーブＬＴＦのうちの最初のものと最後のものとの間のいくつかのトーンサブセットに対して位相差を使うことを伴い、ここで、トーンサブセットの数は空間ストリームの数に等しい。
【０１６４】
[0200]いくつかの態様によると、トーンインターリーブＬＴＦの各々は、ＵＬ  ＭＵ−ＭＩＭＯ送信中の、各ユーザの各空間ストリーム用に指定された、インターリーブトーンを含む。いくつかの態様について、各ユーザの各空間ストリーム用に指定された、インターリーブトーンのパターンは、２つの連続するトーンインターリーブＬＴＦの間でシフトされる。いくつかの態様について、インターリーブトーンのパターンは、１トーンまたは１トーン以外のある程度シフトされる。たとえば、インターリーブトーンのパターンは、２トーンだけ、または４トーンだけシフトされ得る。この場合、各空間ストリームは、それぞれ、トーンインターリーブＬＴＦについてすべてのトーンの２分の１または４分の１をカバーし得る。したがって、動作１８００は、１８０４において周波数オフセット調節を実施する前に欠落トーンを補間することをさらに含み得る。
【０１６５】
[0201]いくつかの態様によると、トーンインターリーブＬＴＦのうちの最後のものは、あるパターンによる、トーンインターリーブＬＴＦの１つまたは複数の先行ＬＴＦの異なる部分のコピーである。この場合、周波数オフセット調節を実施することは、そのパターンによる、１つまたは複数の先行ＬＴＦの異なる部分と、トーンインターリーブＬＴＦのうちの最後のものとの間の、いくつかのトーンサブセットについての位相差を補正することを伴う。いくつかの態様について、位相差を使うことは、空間ストリームの各々についての先行ＬＴＦの各々について位相オフセットを決定することを必要とする。いくつかの態様について、動作１８００は、トーンインターリーブＬＴＦのうちの最後のものに埋め込まれた信号（ＳＩＧ）フィールド（たとえば、ＨＥ−ＳＩＧフィールド）中の情報を抽出することと、ＳＩＧフィールド中の情報に基づいてパケットを処理することとをさらに含む。この抽出は、トーンインターリーブＬＴＦのうちの最後のものの中のトーンにおける極性変化を検出することを含み得る。
【０１６６】
[0202]いくつかの態様によると、各トーンインターリーブＬＴＦ中で、トーンの第１および第２のサブセットは１つまたは複数のサブバンドの第１のセットに関連付けられ、第３の空間ストリームはトーンの第３のサブセットに関連付けられ、第４の空間ストリームは、トーンの第３のサブセットとインターリーブされたトーンの第４のサブセットに関連付けられ、トーンの第３および第４のサブセットは、第１のセットとは異なる、１つまたは複数のサブバンドの第２のセットに関連付けられる。
【０１６７】
[0203]図１９は、本開示のいくつかの態様による、サブバンドベースＬＴＦに基づく周波数オフセット調節を実施するための例示的な動作１９００の流れ図である。動作１９００は、ＡＰ１１０などの装置によって実施され得る。
【０１６８】
[0204]動作１９００は、１９０２において、装置が、（たとえば、図３Ａ〜図４に示す例示的なフォーマットのうちの１つによる）ＬＴＦを含むプリアンブル部分を有するパケット（たとえば、図１および図２に示されるＨＥＷパケット１５０）を受信することから始まり得る。各ＬＴＦについて、第１の空間ストリームは１つまたは複数のサブバンドの第１のセットに関連付けられ、第２の空間ストリームは、第１のセットとは異なる、１つまたは複数のサブバンドの第２のセットに関連付けられる。１９０４において、装置は、ＬＴＦに基づいて、パケットに対して周波数オフセット調節を実施する。
【０１６９】
[0205]いくつかの態様によると、ＬＴＦの数は、装置によって受信される空間ストリームの数よりも１大きい。いくつかの態様について、ＬＴＦのうちの最後のものは、ＬＴＦのうちの最初のもののコピーであり得る。
【０１７０】
[0206]いくつかの態様によると、ＬＴＦの各々は、アップリンク（ＵＬ）マルチユーザ（ＭＵ）多入力多出力（ＭＩＭＯ）送信において各ユーザの各空間ストリーム用に指定されたサブバンドを含む。各ユーザの各空間ストリーム用に指定されたサブバンドのパターンは、２つの連続するＬＴＦの間でシフトされ得る。いくつかの態様について、各空間ストリーム用に指定されたサブバンドのパターンは１つのサブバンド分だけシフトされ、他の態様について、サブバンドのパターンは２つ以上のサブバンド分シフトされ得る。
【０１７１】
[0207]いくつかの態様によると、各ＬＴＦについて、第３の空間ストリームはサブバンドの第１のセットに関連付けられ、第１の空間ストリームはサブバンドの第１のセット中のトーンの第１のサブセットに関連付けられ、第３の空間ストリームはサブバンドの第１のセット中のトーンの第２のサブセットに関連付けられ、トーンの第１のサブセットはトーンの第２のサブセットとインターリーブされる。いくつかの態様について、第４の空間ストリームはサブバンドの第２のセットに関連付けられ、第２の空間ストリームはサブバンドの第２のセット中のトーンの第３のサブセットに関連付けられ、第４の空間ストリームはサブバンドの第２のセット中のトーンの第４のサブセットに関連付けられ、トーンの第３のサブセットはトーンの第４のサブセットとインターリーブされる。この場合、プリアンブル部分は、たとえば４つのＬＴＦを含み得る。他の態様について、各ＬＴＦについて、第４および第５の空間ストリームはサブバンドの第１のセットに関連付けられ、第４の空間ストリームはサブバンドの第１のセット中のトーンの第３のサブセットに関連付けられ、第５の空間ストリームはサブバンドの第１のセット中のトーンの第４のサブセットに関連付けられ、トーンの第１、第２、第３、および第４のサブセットはインターリーブされる。
【０１７２】
ＨＥ−ＳＩＧフィールドの埋め込み
[0208]別個のＨＥ−ＳＩＧフィールドをプリアンブル中に含めるのではなく、ＨＥ−ＳＩＧフィールド情報は、いくつかの態様について、様々な方法のうちの任意のものを使ってＬＴＦに埋め込まれ得る。たとえば、第１のオプションにおいて、コード化されていない２相偏移キーイング（ＢＰＳＫ）データが、トーンのうちのいくつかの上で運ばれ、ＨＥ−ＳＩＧ情報を復調するための、これらのトーンに対する補間を伴い得る。
【０１７３】
[0209]第２の例示的なオプションとして、繰り返されるＬＴＦシンボル（周波数オフセット補正に使われる）は、これらのビットに、トーンのうちのいくつかに対する極性変化を受けさせるのに使われ得る。これは、トーンのサブセットのみにおける、ユーザによる送信に起因する、トーンごとのＳＮＲ利得を活用する。これを遂行するための、少なくとも２つの方法があり得る。あるケースでは、極性が最初に推定されてよく、次いで、ユーザのトーンがすべて、周波数オフセット推定に使われ得る。このケースは、周波数オフセットによる位相変化が、２つのコピーの間のπよりもはるかに小さくなるということを利用し、したがって、符号変化が容易に検出され得る。別のケースでは、繰り返されるＬＴＦシンボル中の、あるユーザのトーンのサブセットが、周波数オフセット補正に使用され得る。
【０１７４】
ＬＴＦに基づく例示的なチャネル推定技法
[0210]いくつかの態様について、ＨＥ−ＬＴＦは、４ｘシンボル持続時間モード用に最適化され得る。このシンボル持続時間があるので、ＬＴＦは、持続時間が４倍長くなる（シンボルが、４μｓ（＝１ｘシンボル持続時間）ではなく１６μｓの持続時間を有するので）。何の変更も行われない場合、プリアンブルオーバーヘッドは超過的になる。ただし、同じ帯域幅（ＢＷ）についてチャネルの（周波数的に）４倍多くのサンプルがあることに留意できよう。したがって、各ストリームが、４ｘシンボル持続時間モードにおいて利用可能なトーンのわずか４分の１を訪ねるように、補間を認め、ＬＴＦの数を最大で４倍削減することが可能であり得る。
【０１７５】
[0211]本開示は、４ｘ伸長シンボルケースにおいて特に有用である、チャネル推定のためのさらに３つのオプションを提供する。オプションＡは、トーンインターリーブ位相補正ＬＴＦシンボルが後に続くトーンインターリーブＬＴＦを伴う。オプションＢは、周波数領域（ユーザの数が４より大きいとき、４人のユーザからなる１つのグループに割り当てられた帯域の一部）において（Ｐ行列のような）４ユーザ直交カバーを利用することを必要とする。これは、いくつかの直交カバーのための巡回シフトダイバーシティ（ＣＳＤ）に対して等価である。オプションＣは、周波数領域において低ランク（トーンの数＜ｓｓの数である）直交カバー（Ｐ行列のような）を使うことを伴う。
【０１７６】
[0212]図２０は、オプションＡによる、４ｘシンボル持続時間に対するＬＴＦの例示的な設計を示す。この例では、１つの空間ストリームを各々がもつ８人のユーザがおり、すべてのストリームが各シンボルにおいてアクティブである。４ｘシンボル持続時間があるので、上述したように、トーンのサブセット上のチャネルを知るのに十分である。図２０における設計により、ＬＴＦ１およびＬＴＦ２は、各ストリーム用の４つのトーンのうちの１つにおいて、各ユーザに対してチャネルが推定され得ることを保証する。
【０１７７】
[0213]図２０の例において、追加ＬＴＦは、最初の２つのＬＴＦの混合物を含み、これは、ユーザ別、ＬＴＦ別位相オフセットを推定するのに使われ得る。位相オフセットＬＴＦは、推定するべき１６個の位相を有し、各位相が推定されるのに利用可能な約２４２／１６〜１６トーンがある。３２トーンは、１人のユーザの完全電力を含み、したがって１６トーンは、単一ユーザケースにおけるよりも３ｄＢ弱い位相推定である。
【０１７８】
[0214]オプションＡは、いくつかの欠点を有し得る。異なるストリームが、異なる補間仕様を有する場合がある。たとえば、いくつかのストリームは利用可能なエッジサブキャリアを有し、いくつかはもたない。異なるストリーム上でのチャネル推定品質が等しくないという結果になり得る。概して、オプションＡの性能は、使われる補間アルゴリズムにも高度に依存する。
【０１７９】
[0215]図２１は、本開示のいくつかの態様による、周波数における直交カバーが４人のユーザ向けに実装されるオプションＢを示す。４トーンからなるあらゆるセットが、図２１に示される行列２１００のような直交マッピングを有する。このマッピングは、各ユーザに対して均等であり、３．２μｓ巡回プレフィックス（ＣＰ）をもつ１２．８μｓシンボルを有するＯＦＤＭシンボル中で［０，３．２，６．４，９．６］μｓ  ＣＳＤだけオフセットされる。この直交マッピングは単なる例であり、周波数領域処理による、または時間領域処理による、ストリームの分離（separation）を可能にするための他のマッピングもあり得る。ただし、周波数におけるあらゆる直交カバーが、時間領域における直観的ＣＳＤのようなカウンターパートを有するとは限らない。周波数においてユーザを直交化することが可能であることは、４人のユーザのインパルス応答が重複しないように時間領域において直交化され得るように、十分すぐに減衰する各ユーザのインパルス応答に関連することに留意されたい。
【０１８０】
[0216]図２２は、８人のユーザのケースでオプションＢを実装する別の例を示す。図２１に示される直交カバーを使うと、ＤＣの両側が、ユーザの別個のセットを有し、グループ１は４人のユーザのあるセットに対応し、グループ２は４人のユーザの別のセットに対応する。この手法の起こり得る欠点は、ＤＣの両側が、ユーザの異なるセットを有するので、受信（Ｒｘ）処理が、あまり直観的な時間領域方式では起こらない可能性があることである。
【０１８１】
[0217]本開示のいくつかの態様によると、（ＨＥ−）ＳＩＧフィールド情報が、最後のＬＴＦのいくつかのトーンに埋め込まれ得る。いくつかの態様について、より最近到着したＬＴＦの繰返しである、最後のＬＴＦのそれらのトーン（たとえば、図２２の位相補正ＬＴＦ中の影つきセクションに示されるトーンのみ）の上で（ＨＥ−）ＳＩＧフィールド情報を運ぶための選好が与えられ得る。これは、（ＨＥ−）ＳＩＧフィールドビットを運ぶトーンにおける位相変化が、πよりもはるかに小さくなることを保証するためである。
【０１８２】
[0218]図２３は、周波数における直交カバーが、４×８行列（ここで列の数は空間ストリームに対応し、行の数はトーンに対応する）を使って、４トーンの全セットに対して８人のユーザ（８つの空間ストリーム）用に利用されるオプションＣの実装を示す。図２４に示す４×８直交カバーにおいて、ストリームの数はトーンの数よりも大きいので、各ストリームのチャネルの線形結合が各ＬＴＦにおいて計算され得る。具体的には、ＬＴＦ１において、ｓｓ１＋ｓｓ５、ｓｓ２＋ｓｓ６、ｓｓ３＋ｓｓ７、およびｓｓ４＋ｓｓ８（すなわち、［Ｐ］＋［Ｐ］）という結合が計算されてよく、ＬＴＦ２において、ｓｓ１−ｓｓ５、ｓｓ２−ｓｓ６、ｓｓ３−ｓｓ７、およびｓｓ４−ｓｓ８（すなわち、［Ｐ］＋−［Ｐ］）という結合が計算されてよい。したがって、チャネルは２つのＬＴＦを使って推定され得る。
【０１８３】
[0219]図２４は、本開示のいくつかの態様による、１ｘよりも大きいシンボル持続時間を有するＬＴＦに基づいてチャネルを推定するための例示的な動作２４００の流れ図である。動作２４００は、ＡＰ１１０などの装置によって実施され得る。
【０１８４】
[0220]動作２４００は、２４０２において、装置が、（たとえば、図３Ａ〜図４に示す例示的なフォーマットのうちの１つによる）１つまたは複数のＬＴＦを含むプリアンブル部分を有するパケット（たとえば、図１および図２に描かれるＨＥＷパケット１５０）を受信することから始まり得る。ＬＴＦのうちの少なくとも１つは、４μｓよりも大きい持続時間（すなわち、４ｘ＝１６μｓのシンボル持続時間など、１ｘよりも大きいシンボル持続時間）を有するシンボルからなる。２４０４において、装置はＬＴＦに基づいてチャネルを推定し得る。
【０１８５】
[0221]いくつかの態様によると、１つまたは複数のＬＴＦは、トーンインターリーブＬＴＦを含む。いくつかの態様について、トーンインターリーブＬＴＦは、空間ストリームの数（ＮSS）をシンボル持続時間係数（たとえば、４ｘシンボル持続時間には４）で除算したものから、空間ストリームの数（すなわち、［ＮSS／シンボル持続時間係数，ＮSS］）に渡るインターバルの任意の整数に等しいＬＴＦの数よりも１多くを含む。トーンインターリーブＬＴＦのうちの最後のものは、あるパターンによる、トーンインターリーブＬＴＦの１つまたは複数の先行ＬＴＦの異なる部分のコピーであり得る。この場合、動作２４００は、トーンインターリーブＬＴＦに基づいて、パケットに対して周波数オフセット調節を実施することをさらに含み得る。周波数オフセット調節を実施することは、そのパターンによる、１つまたは複数の先行ＬＴＦの異なる部分と、トーンインターリーブＬＴＦのうちの最後のものとの間の、いくつかのトーンサブセットについての位相差を補正することを伴い得る。いくつかの態様について、位相差を使うことは、空間ストリームの各々についての先行ＬＴＦの各々について位相オフセットを決定することを必要とする。一例として、シンボル持続時間は４ｘであってよく、空間ストリームの数は８であってよく、３つのトーンインターリーブＬＴＦがあってよい。
【０１８６】
[0222]いくつかの態様によると、プリアンブル部分は、第１の信号（ＳＩＧ）フィールドであって、１つまたは複数のＬＴＦが第１のＳＩＧフィールドの後に位置する、第１のＳＩＧフィールドと、少なくとも１つの第２のＳＩＧフィールドであって、第１のＳＩＧフィールド以外の、プリアンブル部分中のすべてのＳＩＧフィールドが、１つまたは複数のＬＴＦに後続する、少なくとも１つの第２のＳＩＧフィールドと、を含む。
【０１８７】
[0223]いくつかの態様によると、１つまたは複数のＬＴＦは１つまたは複数の高効率ロングトレーニングフィールド（ＨＥ−ＬＴＦ）を含み、プリアンブル部分は、ＨＥ−ＬＴＦの後に位置する高効率信号（ＨＥ−ＳＩＧ）フィールドをさらに含む。
【０１８８】
[0224]図２５は、本開示のいくつかの態様による、直交カバーが適用されたＬＴＦに基づいてチャネルを推定するための例示的な動作２５００の流れ図である。動作２５００は、ＡＰ１１０などの装置によって実施され得る。
【０１８９】
[0225]動作２５００は、２５０２において、装置が、（たとえば、図３Ａ〜図４に示す例示的なフォーマットのうちの１つによる）１つまたは複数のＬＴＦを含むプリアンブル部分を有するパケット（たとえば、図１および図２に示されるＨＥＷパケット１５０）を受信することから始まり得る。ＬＴＦは、時間領域において空間ストリームを分離させるように、それらに対してマッピング（たとえば、直交カバー）が適用されている。２５０４において、装置はＬＴＦに基づいてチャネルを推定し得る。
【０１９０】
[0226]いくつかの態様によると、直交カバーは、周波数領域において、４つのトーンおよび４つの空間ストリームのセットに適用される。いくつかの態様について、直交カバーは、
【数４】
2016530776.tif 000006
に等しい行列である。行列の行（rows）は異なるトーンに対応し、行列の列（column）は異なる空間ストリームに対応する。他の態様について、直交カバーは、
【数５】
2016530776.tif 000007
に等しい行列である。
【０１９１】
[0227]いくつかの態様によると、１つまたは複数のＬＴＦは、１ｘよりも大きいシンボル持続時間を有する。いくつかの態様について、１つまたは複数のＬＴＦは、空間ストリームの数（ＮSS）をシンボル持続時間係数（たとえば、４ｘシンボル持続時間については４）で除算したものから、空間ストリームの数（すなわち、［ＮSS／シンボル持続時間係数，ＮSS］）に渡る間隔内の任意の整数に等しいＬＴＦの数よりも１多くを含む。ＬＴＦのうちの最後のものは、あるパターンによる、ＬＴＦのうちの最後のものに先立つ１つまたは複数のＬＴＦの異なる部分のコピーであり得る。この場合、動作２５００は、ＬＴＦに基づいて、パケットに対して周波数オフセット調節を実施することをさらに含み得る。周波数オフセット調節を実施することは、そのパターンによる、１つまたは複数の先行ＬＴＦの異なる部分と、ＬＴＦのうちの最後のものとの間の、いくつかのトーンサブセットについての位相差を補正することを伴い得る。いくつかの態様について、位相差を補正することは、空間ストリームの各々についての先行ＬＴＦの各々について位相オフセットを決定することを必要とする。
【０１９２】
[0228]いくつかの態様によれば、ユーザの異なるグループが、（図２２に示されるように）帯域の異なる部分に対する直交カバーに含まれる。
【０１９３】
[0229]上記で説明した方法の様々な動作は、対応する機能を実施することができる任意の好適な手段によって実施され得る。手段は、これだけに限定するものではないが、回路、特定用途向け集積回路（ＡＳＩＣ）、またはプロセッサを含む、様々なハードウェアおよび／またはソフトウェア構成要素および／またはモジュールを含むことができる。概して、図に示されている動作がある場合、それらの動作は、同様の番号をもつ対応するカウンターパートのミーンズプラスファンクション構成要素を有し得る。たとえば、図５に示される動作５００は、図５Ａに示される手段５００Ａに対応する。
【０１９４】
[0230]たとえば、送信するための手段は、図２に示されたアクセスポイント１１０の送信機（たとえば、送信機ユニット２２２）および／もしくはアンテナ２２４、またはユーザ端末１２０の送信機ユニット２５４および／もしくはアンテナ２５２を備え得る。受信するための手段は、図２に示されたアクセスポイント１１０の受信機（たとえば、受信機ユニット２２２）および／もしくはアンテナ２２４、またはユーザ端末１２０の受信機ユニット２５４および／もしくはアンテナ２５４を備え得る。処理するための手段、生成するための手段、周波数オフセット調節を実施するための手段、または決定するための手段は処理システムを備えることができ、処理システムは、図２に示されるアクセスポイント１１０のＲＸデータプロセッサ２４２、ＴＸデータプロセッサ２１０、ＴＸ空間プロセッサ２２０、および／またはコントローラ２３０あるいはユーザ端末１２０のＲＸデータプロセッサ２７０、ＴＸデータプロセッサ２８８、ＴＸ空間プロセッサ２９０、および／またはコントローラ２８０など、１つまたは複数のプロセッサを含み得る。
【０１９５】
[0231]本明細書で使用される「決定すること」という用語は、幅広い様々なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【０１９６】
[0232]本明細書で使用される、項目のリスト「のうちの少なくとも１つ」を参照する句は、単一のメンバーを含む、それらの項目の任意の組合せを参照する。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１９７】
[0233]本開示に関して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェア構成要素、または本明細書に記載された機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、またはステートマシンであり得る。また、プロセッサは、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成として実装され得る。
【０１９８】
[0234]本開示に関連して説明された方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形式の記憶媒体内に常駐することができる。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、かつ複数の記憶媒体にわたって分散され得る。記憶媒体は、プロセッサがその記憶媒体から情報を読み取ることができその記憶媒体に情報を書き込むことができるように、プロセッサに結合され得る。代替として、記憶媒体はプロセッサと一体化され得る。
【０１９９】
[0235]本明細書で開示される方法は、説明された方法を達成するための１つまたは複数のステップまたは動作を備える。本方法のステップおよび／またはアクションは、特許請求の範囲を逸脱することなく互いに交換され得る。言い換えれば、ステップまたはアクションの具体的な順序が指定されない限り、具体的なステップおよび／またはアクションの順序および／または使用は、特許請求の範囲から逸脱することなく修正され得る。
【０２００】
[0236]説明した機能は、ハードウェア、ソフトウェア、ファームウェア、またはそれらの任意の組合せで実装され得る。ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスとブリッジとを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）をバスに接続することもできる。バスは、タイミングソース、周辺機器、電圧調整器、電力管理回路など様々な他の回路をリンクさせることも可能であり、これは当技術分野ではよく知られているので、これ以上説明しない。
【０２０１】
[0237]プロセッサは、機械可読媒体に記憶されたソフトウェアの実行を含む、バスおよび一般的な処理を管理する役割を担うことができる。プロセッサは、１つまたは複数の汎用および／または専用プロセッサを用いて実装され得る。例としては、マイクロプロセッサ、マイクロコントローラ、ＤＳＰプロセッサ、およびソフトウェアを実行し得る他の回路を含む。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されるべきである。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、もしくは他の適切な記憶媒体、またはそれらの任意の組合せを含み得る。機械可読媒体は、コンピュータプログラム製品において具現化され得る。コンピュータプログラム製品は、パッケージング材料を備え得る。
【０２０２】
[0238]ハードウェア実装形態では、機械可読媒体は、プロセッサとは別個の処理システムの一部であり得る。しかしながら、当業者が容易に理解するように、機械可読媒体またはその任意の部分は処理システムの外部に存在し得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的または追加的に、機械可読媒体またはその任意の部分は、キャッシュおよび／または汎用レジスタファイルがそうであり得るように、プロセッサに統合され得る。
【０２０３】
[0239]処理システムは、すべてが外部バスアーキテクチャを介して他の支援する回路と互いにリンクされる、プロセッサ機能を提供する１つまたは複数のマイクロプロセッサと、機械可読媒体の少なくとも一部を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは任意の他の好適な回路、または本開示全体にわたって説明した様々な機能性を実施することができる回路の任意の組合せを用いて、実装され得る。当業者は、具体的な適用例と、全体的なシステムに課される全体的な設計制約とに応じて、処理システムについて説明された機能性を最適に実装する方法を理解されよう。
【０２０４】
[0240]機械可読媒体は、いくつかのソフトウェアモジュールを備え得る。ソフトウェアモジュールは、プロセッサによって実行されたときに、処理システムに様々な機能を実施させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能性に言及する場合、そのような機能性は、そのソフトウェアモジュールからの命令を実行したときにプロセッサによって実装されることが理解されよう。
【０２０５】
[0241]ソフトウェアで実装される場合、機能は、１つもしくは複数の命令もしくはコードとしてコンピュータ可読媒体上に記憶されるか、またはコンピュータ可読媒体を介して送信され得る。コンピュータ可読媒体は、ある場所から別の場所へのコンピュータプログラムの転送を容易にするすべての媒体を含む、コンピュータ記憶媒体と通信媒体の両方を含む。記憶媒体は、コンピュータによってアクセスされ得る、任意の市販の媒体であってよい。限定ではなく例として、そのようなコンピュータ可読媒体は、ＲＡＭ、ＲＯＭ、ＥＥＰＲＯＭ、ＣＤ−ＲＯＭもしくは他の光ディスク記憶デバイス、磁気ディスク記憶デバイスもしくは他の磁気記憶デバイス、または、命令もしくはデータ構造の形態の所望のプログラムコードを搬送もしくは記憶するために使用することができ、コンピュータによってアクセス可能である、任意の他の媒体を含むことができる。また、任意の接続も適切にコンピュータ可読媒体と称される。たとえば、ソフトウェアが、同軸ケーブル、光ファイバケーブル、ツイストペア、デジタル加入者回線（ＤＳＬ）、または赤外線（ＩＲ）、無線およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【０２０６】
[0242]したがって、いくつかの態様は、本明細書で提示された動作を実施するためのコンピュータプログラム製品を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０２０７】
[0243]さらに、本明細書に記載の方法および技法を実施するためのモジュールおよび／または他の適切な手段は、適用可能な場合にユーザ端末および／または基地局によってダウンロードおよび／または他の方法で取得できることを諒解されたい。たとえば、そのようなデバイスは、本明細書で説明した方法を実施するための手段の伝達を容易にするためにサーバに結合され得る。代替的に、本明細書で説明した様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。さらに、本明細書で説明した方法および技法をデバイスに提供する任意の他の好適な技法が利用され得る。
【０２０８】
[0244]特許請求の範囲は、上記で示された精密な構成および構成要素に限定されないことを理解されたい。上述された方法および装置の配置、動作および詳細には、特許請求の範囲を逸脱することなく、様々な修正、変更および変形が加えられ得る。
【図１】
2016530776.tif 000008
【図２】
2016530776.tif 000009
【図３Ａ】
2016530776.tif 000010
【図３Ｂ】
2016530776.tif 000011
【図３Ｃ】
2016530776.tif 000012
【図４】
2016530776.tif 000013
【図５】
2016530776.tif 000014
【図５Ａ】
2016530776.tif 000015
【図６】
2016530776.tif 000016
【図６Ａ】
2016530776.tif 000017
【図７】
2016530776.tif 000018
【図７Ａ】
2016530776.tif 000019
【図８】
2016530776.tif 000020
【図８Ａ】
2016530776.tif 000021
【図９】
2016530776.tif 000022
【図９Ａ】
2016530776.tif 000023
【図１０】
2016530776.tif 000024
【図１１】
2016530776.tif 000025
【図１２】
2016530776.tif 000026
【図１３】
2016530776.tif 000027
【図１４】
2016530776.tif 000028
【図１５】
2016530776.tif 000029
【図１６】
2016530776.tif 000030
【図１７】
2016530776.tif 000031
【図１７Ａ】
2016530776.tif 000032
【図１８】
2016530776.tif 000033
【図１８Ａ】
2016530776.tif 000034
【図１９】
2016530776.tif 000035
【図１９Ａ】
2016530776.tif 000036
【図２０】
2016530776.tif 000037
【図２１】
2016530776.tif 000038
【図２２】
2016530776.tif 000039
【図２３】
2016530776.tif 000040
【図２４】
2016530776.tif 000041
【図２４Ａ】
2016530776.tif 000042
【図２５】
2016530776.tif 000043
【図２５Ａ】
2016530776.tif 000044
【国際調査報告】
2016530776.tif 000045
2016530776.tif 000046